(57)【要約】  本発明は、チャネル資源のチャネル要素群の少なくとも第１のチャネル要素及び第２のチャネル要素を電気通信装置によって宛先に割り当てる方法に関する。電気通信装置は、  −第１のチャネル要素について、チャネル要素群内における第１のチャネル要素の位置に従って且つ宛先に従って、第１のランダム化機能を選択し、  −第２のチャネル要素について、チャネル要素群内における第２のチャネル要素の位置に従って且つ宛先に従って、第２のランダム化機能を選択し、  −第１のランダム化機能によって第１のチャネル要素に含められるデータを処理すると共に、第２のランダム化機能によって第１のチャネル要素に含められるデータを処理し、  −処理されたデータを転送する。
2010525700.tif 000002
【特許請求の範囲】
【請求項１】
チャネル資源のチャネル要素群の少なくとも第１のチャネル要素及び第２のチャネル要素を電気通信装置によって宛先に割り当てる方法であって、各チャネル要素は、前記チャネル資源の所定の一区分であり、該方法は、前記電気通信装置によって実行されるステップであって、
前記第１のチャネル要素について、前記チャネル要素群内における前記第１のチャネル要素の位置に従って且つ前記宛先に従って、第１のランダム化機能を選択するステップ、
前記第２のチャネル要素について、前記チャネル要素群内における前記第２のチャネル要素の位置に従って且つ前記宛先に従って、第２のランダム化機能を選択するステップ、
前記第１のランダム化機能によって前記第１のチャネル要素に含められるデータを処理すると共に、前記第２のランダム化機能によって前記第１のチャネル要素に含められるデータを処理するステップ、及び
前記チャネル資源の他のチャネル要素上にマッピングされた、他のランダム化機能によって処理された他のデータと組み合わせて、前記第１のランダム化機能によって処理された前記データを前記第１のチャネル要素上にマッピングすることにより、前記第１のランダム化機能によって処理された前記データを転送すると共に、前記第２のランダム化機能によって処理された前記データを前記第２のチャネル要素上にマッピングすることにより、前記第２のランダム化機能によって処理された前記データを転送するステップ、
を含むことを特徴とする、方法。
【請求項２】
前記ランダム化機能はスクランブルシーケンスであり、前記データの前記プロセスは乗算であることを特徴とする、請求項１に記載の方法。
【請求項３】
前記ランダム化機能はインタリーブ機能であり、前記データの前記プロセスは並べ替えであることを特徴とする、請求項１に記載の方法。
【請求項４】
前記方法は、少なくとも２つの宛先にについて実行されることを特徴とする、請求項１ないし３のいずれか一項に記載の方法。
【請求項５】
前記データは、情報の巡回冗長と結合された該情報を変調及び符号化することによって形成されることを特徴とする、請求項１ないし４のいずれか一項に記載の方法。
【請求項６】
前記宛先は、別の電気通信装置又は該別の電気通信装置によって実行されるアプリケーションであることを特徴とする、請求項５に記載の方法。
【請求項７】
前記チャネル要素は制御チャネル要素であり、前記データは、前記チャネル要素群のサブセットについて前記宛先により使用される変調及び／若しくは符号化方式、並びに／又は該チャネル要素群のサブセットのロケーション、並びに／又は該チャネル要素群のサブセットについて前記宛先により使用される時空間符号を表すことを特徴とする、請求項６に記載の方法。
【請求項８】
前記少なくとも第１のチャネル要素及び第２のチャネル要素は、前記チャネル要素群における連続したチャネル要素であることを特徴とする、請求項１ないし７のいずれか一項に記載の方法。
【請求項９】
チャネル資源のチャネル要素群の少なくとも第１のチャネル要素及び第２のチャネル要素が第１の電気通信装置によって宛先に割り当てられているか否かを判断する方法であって、各チャネル要素は、前記チャネル資源の所定の一区分であり、該方法は、前記宛先によって実行されるステップであって、
受信データがマッピングされたチャネル要素群を受信するステップ、
各チャネル要素について、前記チャネル要素群における該チャネル要素の位置に従ってランダム化機能を選択するステップ、
各チャネル要素上にマッピングされた前記受信データを、該受信データがマッピングされた該チャネル要素について決定された前記ランダム機能により処理するステップ、
前記処理された受信データの中から、前記チャネル要素群のサブセットの少なくとも２つのチャネル要素上にマッピングされた前記受信データから得られた少なくとも２つの同一の処理された受信データを決定するステップ、及び
前記少なくとも２つの処理された受信データが同一である場合に、前記チャネル要素群の前記サブセットの前記少なくとも２つのチャネル要素が前記宛先に割り当てられていると判定するステップ、
を含むことを特徴とする、方法。
【請求項１０】
前記ランダム化機能はスクランブル解除シーケンスであり、前記データの前記プロセスは乗算であることを特徴とする、請求項９に記載の方法。
【請求項１１】
前記ランダム化機能はスクランブルインタリーブ解除機能であり、前記データの前記プロセスは並べ替えであることを特徴とする、請求項９に記載の方法。
【請求項１２】
各チャネル要素上にマッピングされた前記受信データに対応する前記処理された受信データは、Ｔ個の連続した変調シンボルの形態にあり、前記決定は、
前記チャネル要素群の各可能なサブセットを選択することであって、各サブセットは、少なくとも２つのチャネル要素を含む、選択すること、
前記チャネル要素群の各可能なサブセットについて、
該サブセットを、α個のチャネル要素を含む第１の部分及びβ個のチャネル要素を含む第２の部分に分割することであって、α＋β＝Ｌであり、Ｌは該サブセットに含まれるチャネル要素の個数である、分割すること、
同じ位置を有するα個のシンボルのＴ回の累算を実行することによって、前記第１の部分の前記α個のチャネル要素の累算を求めること、
同じ位置を有するβ個のシンボルのＴ回の累算を実行することによって、前記第２の部分の前記β個のチャネル要素の累算を求めること、
前記第１の部分に対して実行された前記累算の結果及び前記第２の部分に対して実行された前記累算の結果を処理すること、及び
前記結果の前記プロセスの結果から正規化された値を得ること、
最も高い正規化された値を選択すること、並びに
前記最も高い正規化された値をしきい値と比較すること、
によって得られることを特徴とする、請求項９ないし１１のいずれか一項に記載の方法。
【請求項１３】
前記第１の部分に対して実行された前記累算及び前記第２の部分に対して実行された前記累算の前記処理は、前記第１の部分対して実行された前記累算及び前記第２の部分に対して実行された前記累算の累算であることを特徴とする、請求項１２に記載の方法。
【請求項１４】
前記第１の部分に対して実行された前記累算及び前記第２の部分に対して実行された前記累算の前記処理は、前記第１の部分対して実行された前記累算及び前記第２の部分に対して実行された前記累算の相関であることを特徴とする、請求項１２に記載の方法。
【請求項１５】
α＝β＝Ｌ／２、又はα＝（Ｌ−１）／２及びβ＝（Ｌ＋１）／２であることを特徴とする、請求項１２ないし１４のいずれか一項に記載の方法。
【請求項１６】
前記最も高い正規化された値が前記しきい値よりも大きい場合には、前記判定は、
前記正規化された値を順序付けること、
前記最も高い正規化された値の少なくとも一部を選択すること、並びに
前記判定が得られなくなるまで、最も高い選択された正規化された値から最も低い選択された正規化された値へ向けて、
前記正規化された値が得られる取得元の前記サブセットについて、同じ位置を有する前記Ｌ個のシンボルのＴ回の累算を実行することによって前記Ｌ個のチャネル要素の累算を求めること、
前記Ｌ個のシンボルの前記累算の結果を復調すること、
情報の巡回冗長と結合された該情報を得るために前記復調の結果のビットを復号すること、
前記巡回冗長を検査すること、及び
前記巡回冗長検査が正しい場合には、前記正規化された値が得られる取得元の前記サブセットの前記Ｌ個のチャネル要素が前記宛先に割り当てられていると判定すること、
によって得られることを特徴とする、請求項１２ないし１５のいずれか一項に記載の方法。
【請求項１７】
前記選択された値のそれぞれについて冗長検査が正しくない場合には、該方法は、
前記チャネル要素群内の１つのチャネル要素が前記宛先に割り当てられているとの判定が得られなくなるまで、
受信データがマッピングされた前記チャネル要素群のチャネル要素を選択するステップ、
前記選択されたチャネル要素上にマッピングされた前記受信データを復調するステップ、
情報の巡回冗長と結合された該情報を得るために前記復調の結果のビットを復号するステップ、
前記巡回冗長を検査するステップ、及び
前記巡回冗長検査が正しい場合には、前記チャネル要素が前記宛先に割り当てられていると判定するステップ、
をさらに含むことを特徴とする、請求項１６に記載の方法。
【請求項１８】
前記チャネル要素群内の１つのチャネル要素が前記宛先に割り当てられているとの判定が得られない場合には、該方法は、
前記最も高い正規化された値の前記一部に属さない前記正規化された値の少なくとも一部を選択するステップ、並びに
前記判定が得られなくなるまで、前記最も高い正規化された値の前記一部に属さない前記正規化された値の前記一部の最も高い選択された正規化された値から最も低い選択された正規化された値に向かって、
前記正規化された値が得られる取得元の前記サブセットについて、同じ位置を有する前記Ｌ個のシンボルのＴ回の累算を実行することによって前記Ｌ個のチャネル要素の累算を求めるステップ、
前記Ｌ個のシンボルの前記累算の結果を復調するステップ、
情報の巡回冗長と結合された該情報を得るために前記復調の結果のビットを復号するステップ、
前記巡回冗長を検査するステップ、及び
前記冗長検査が正しい場合には、前記正規化された値が得られる取得元の前記サブセットの前記Ｌ個のチャネル要素が前記宛先に割り当てられていると判定するステップ、
をさらに含むことを特徴とする、請求項１７に記載の方法。
【請求項１９】
前記最も高い正規化された値が前記しきい値よりも小さい場合には、前記判定は、
前記チャネル要素群内の１つのチャネル要素が前記宛先に割り当てられているとの判定が得られなくなるまで、
受信データがマッピングされた前記チャネル要素群のチャネル要素を選択すること、
前記選択されたチャネル要素上にマッピングされた前記受信データを復調すること、
情報の巡回冗長と結合された該情報を得るために前記復調の結果のビットを復号すること、
前記巡回冗長を検査すること、及び
前記巡回冗長検査が正しい場合には、前記チャネル要素が前記宛先に割り当てられていると判定すること、
によって得られることを特徴とする、請求項１２ないし１５のいずれか一項に記載の方法。
【請求項２０】
前記チャネル要素群内の１つのチャネル要素が前記宛先に割り当てられているとの判定が得られない場合には、前記判定は、
前記正規化された値を順序付けること、
前記最も高い正規化された値の少なくとも一部を選択すること、並びに
前記判定が得られなくなるまで、最も高い選択された正規化された値から最も低い選択された正規化された値へ向けて、
前記正規化された値が得られる取得元の前記サブセットについて、同じ位置を有する前記Ｌ個のシンボルのＴ回の累算を実行することによって前記Ｌ個のチャネル要素の累算を求めること、
前記Ｌ個のシンボルの前記累算の結果を復調すること、
情報の巡回冗長と結合された該情報を得るために前記復調の結果のビットを復号すること、
前記巡回冗長を検査すること、及び
前記巡回冗長検査が正しい場合には、前記情報及び前記巡回冗長が得られた取得元の前記サブセットの前記Ｌ個のチャネル要素が前記宛先に割り当てられていると判定すること、
によって得られることを特徴とする、請求項１９に記載の方法。
【請求項２１】
各チャネル要素上にマッピングされた前記受信データに対応する前記処理された受信データは、Ｔ個の連続した変調シンボルの形態にあり、前記決定及び前記判定は、
前記チャネル要素群の第１の可能なサブセットを選択することであって、該第１の可能なサブセットは少なくとも２つのチャネル要素を含む、前記チャネル要素群の第１の可能なサブセットを選択すること、
前記第１の可能なサブセットを、α個のチャネル要素を含む第１の部分及びβ個のチャネル要素を含む第２の部分に分割することであって、α＋β＝Ｌであり、Ｌは前記第１の可能なサブセットに含まれるチャネル要素の個数である、前記第１の可能なサブセットを分割すること、
同じ位置を有するα個のシンボルのＴ回の累算を実行することによって、前記第１の可能なサブセットの前記第１の部分の前記α個のチャネル要素の累算を求めること、
同じ位置を有するβ個のシンボルのＴ回の累算を実行することによって、前記第１の可能なサブセットの前記第２の部分の前記β個のチャネル要素の累算を求めること、
前記第１の可能なサブセットの前記第１の部分に対して実行された前記累算の結果及び前記第２の部分に対して実行された前記累算の結果を処理すること、
前記結果の前記プロセスの結果から第１の正規化された値を得ること、
前記チャネル要素群の第２の可能なサブセットを選択することであって、該第２の可能なサブセットは少なくとも２つのチャネル要素を含む、前記チャネル要素群の第２の可能なサブセットを選択すること、
前記第２の可能なサブセットを、α’個のチャネル要素を含む第１の部分及びβ’個のチャネル要素を含む第２の部分に分割することであって、α’＋β’＝Ｌ’であり、Ｌ’は前記第２の可能なサブセットに含まれるチャネル要素の個数である、前記第２の可能なサブセットを分割すること、
同じ位置を有するα’個のシンボルのＴ回の累算を実行することによって、前記第２の可能なサブセットの前記第１の部分の前記α’個のチャネル要素の累算を求めること、
同じ位置を有するβ’個のシンボルのＴ回の累算を実行することによって、前記第２の可能なサブセットの前記第２の部分の前記β’個のチャネル要素の累算を求めること、
前記第２の可能なサブセットの前記第１の部分に対して実行された前記累算の結果及び前記第２の部分に対して実行された前記累算の結果を処理すること、
前記結果の前記プロセスの結果から第２の正規化された値を得ること、
前記第２の正規化された値がしきい値よりも大きいか否かを検査すること、
前記第２の正規化された値が前記第１の正規化された値よりも小さいか否かを検査すること、並びに
前記第２の正規化された値が前記第１の正規化された値よりも小さく且つ前記しきい値よりも大きい場合には、
前記第１のサブセットの前記第１の部分及び前記第２の部分に対して実行された前記累算の結果を復調すること、
情報の巡回冗長と結合された該情報を得るために前記復調の結果のビットを復号すること、
前記巡回冗長を検査すること、及び
前記冗長検査が正しい場合には、前記第１のサブセットの前記Ｌ個のチャネル要素が前記宛先に割り当てられていると判定すること、
によって得られることを特徴とする、請求項９に記載の方法。
【請求項２２】
α＝β＝Ｌ／２且つα’＝β’＝Ｌ’／２、又はα＝（Ｌ−１）／２且つβ＝（Ｌ＋１）／２且つα’＝（Ｌ’−１）／２且つβ’＝（Ｌ’＋１）／２であることを特徴とする、請求項２１に記載の方法。
【請求項２３】
前記少なくとも第１のチャネル要素及び第２のチャネル要素は、前記チャネル要素群において連続したチャネル要素であることを特徴とする、請求項９ないし２２のいずれか一項に記載の方法。
【請求項２４】
チャネル資源のチャネル要素群の少なくとも第１のチャネル要素及び第２のチャネル要素を宛先に割り当てる装置であって、各チャネル要素は、前記チャネル資源の所定の一区分であり、該割り当てる装置は、前記電気通信装置内に含まれ、
前記第１のチャネル要素について、前記チャネル要素群内における前記第１のチャネル要素の位置に従って且つ前記宛先に従って、第１のランダム化機能を選択する手段、
前記第２のチャネル要素について、前記チャネル要素群内における前記第２のチャネル要素の位置に従って且つ前記宛先に従って、第２のランダム化機能を選択する手段、
前記第１のランダム化機能によって前記第１のチャネル要素に含められるデータを処理すると共に、前記第２のランダム化機能によって前記第１のチャネル要素に含められるデータを処理する手段、及び
前記チャネル資源の他のチャネル要素上にマッピングされた、他のランダム化機能によって処理された他のデータと組み合わせて、前記第１のランダム化機能によって処理された前記データを前記第１のチャネル要素上にマッピングすることにより、前記第１のランダム化機能によって処理された前記データを転送すると共に、前記第２のランダム化機能によって処理された前記データを前記第２のチャネル要素上にマッピングすることにより、前記第２のランダム化機能によって処理された前記データを転送する手段、
を備えることを特徴とする、装置。
【請求項２５】
チャネル資源のチャネル要素群の少なくとも第１のチャネル要素及び第２のチャネル要素が第１の電気通信装置によって宛先に割り当てられているか否かを判断する装置であって、各チャネル要素は、前記チャネル資源の所定の一区分であり、該判断する装置は、第２の電気通信装置内に含まれ、
受信データがマッピングされたチャネル要素群を受信する手段、
各チャネル要素について、前記チャネル要素群内の該チャネル要素の位置に従ってランダム化機能を選択する手段、
各チャネル要素上にマッピングされた前記受信データを、該受信データがマッピングされた該チャネル要素について決定された前記ランダム機能により処理する手段、
前記処理された受信データの中から、前記チャネル要素群のサブセットの少なくとも２つのチャネル要素上にマッピングされた前記受信データから得られた少なくとも２つの同一の処理された受信データを決定する手段、及び
前記少なくとも２つの処理された受信データが同一である場合に、前記チャネル要素群の前記サブセットの前記少なくとも２つのチャネル要素が前記宛先に割り当てられていると判定する手段、
を備えることを特徴とする、装置。
【請求項２６】
プログラマブル装置内に直接ロード可能とすることができるコンピュータプログラムであって、該コンピュータプログラムがプログラマブル装置上で実行されると請求項１ないし８のいずれか一項に記載の方法の前記ステップを実施するための命令又はコード部を含む、コンピュータプログラム。
【請求項２７】
プログラマブル装置内に直接ロード可能とすることができるコンピュータプログラムであって、該コンピュータプログラムがプログラマブル装置上で実行されると請求項９ないし２３のいずれか一項に記載の方法の前記ステップを実施するための命令又はコード部を含む、コンピュータプログラム。
【発明の詳細な説明】
【技術分野】
【０００１】
本発明は、チャネル資源のチャネル要素群の少なくとも第１及び第２の連続したチャネル要素を電気通信装置によって宛先に割り当てる方法及び装置に関する。
【０００２】
これと相関して、本発明は、チャネル資源のチャネル要素群の少なくとも第１のチャネル要素及び第２のチャネル要素が第１の電気通信装置によって宛先に割り当てられているか否かを判断する方法及び装置に関する。
【０００３】
いくつかの古典的な無線セルラー電気通信ネットワークでは、基地局は、その基地局のカバレッジエリア内に位置する少なくとも１つの移動端末と通信する。基地局は、電気通信ネットワークのチャネル資源の複数の部分をその移動端末に割り当てる。
【０００４】
チャネル資源は、基地局及び移動端末がいくつかのアンテナを有する場合には、周波数帯域幅の量、時間の量、又は空間的次元の量として定義される。チャネル資源の一部を以下ではチャネル要素という名称で呼ぶ。チャネル要素は、チャネル資源の所定の一区分である。
【０００５】
各チャネル要素は、チャネル資源の資源要素で構成される。例として、単一アンテナＯＦＤＭ伝送の場合、１つの資源要素は、１つのＯＦＤＭシンボルの１つのトーン又は１つの副搬送波である。
【０００６】
基地局は、各移動端末に対して、いずれの１つ又は複数のチャネル要素がその移動端末に割り当てられるのかを示す必要がある。複数のチャネル要素が１つの移動端末に割り当てられるとき、これらのチャネル要素は、チャネル要素群のサブセットのチャネル要素である。
【０００７】
チャネル要素は、ダウンリンク送信及び／又はアップリンク送信のために割り当てられる。ダウンリンク送信は、基地局から１つ又はいくつかの移動端末への送信である。アップリンク送信は、移動端末から基地局への送信である。
【０００８】
各移動端末に対して、いずれの１つ又は複数のチャネル要素がその移動端末に割り当てられるのかを示すために、基地局は、制御チャネル要素で構成される制御チャネル要素群を使用する。
【０００９】
各制御チャネル要素サイズによって、畳み込み符号化又はターボ符号化のようなチャネル符号化を表す情報、及び／又は変調方式を表す情報、及び／又はチャネル要素群のサブセットのロケーションを表す情報、及び／又はチャネル要素群のサブセットのために宛先によって使用される時空間符号を表す情報を送信することが可能になる。
【００１０】
各制御チャネル要素上には、データがマッピングされる。このデータは、情報及びその情報の古典的な巡回冗長検査（ＣＲＣ）であり、これらの情報及びＣＲＣは、符号化及び変調されている。
【００１１】
ＣＲＣは、復号後にエラーが残っているか否かを検査するのに使用されるブロック符号である。
【００１２】
資源割り当ては、各移動端末へ送信される他のデータを、チャネル要素群のチャネル要素で構成されるサブセット上にマッピングする。
【００１３】
１つ又は複数の制御チャネル要素が、例として、基地局と移動端末とを隔てる距離に従って、又は基地局と移動端末との間の通信リンクに存在する減衰又は干渉に従って、又は転送されるデータの量に従って、所与の移動端末に割り当てられる。
【００１４】
例として、或る制御チャネル要素にマッピングされるように意図されている、ＣＲＣと結合された情報の符号化及び変調されたものの送信のロバスト性を改善するために、低符号化率を使用することができるか、又はＣＲＣと結合された情報の符号化及び変調されたものが複製されて、移動端末に割り当てられる少なくとも１つの他の制御チャネル要素上にマッピングされる。複数の制御チャネル要素が所与の移動端末に割り当てられるとき、これらの制御チャネル要素は連続しているか又は連続していない。
【００１５】
各移動端末が、自身に割り当てられたチャネル要素のサブセット及びデータの双方を、制御チャネル要素を通じて回復することを可能にするために、基地局は、各制御チャネル要素にマッピングされるデータにおいて宛先移動端末の識別子を示すか、又はＣＲＣと結合された情報の符号化及び変調されたものにより形成されたデータを移動端末の識別子でマスクする。このマスキングされたデータが、各制御チャネル要素にマッピングされる。
【００１６】
各移動端末は、自身に割り当てられたチャネル要素のサブセット及びデータの双方を、制御チャネル要素を通じて回復しなければならない。より正確に言えば、各移動端末は、自身に割り当てられた制御チャネル要素の個数、及び１つ又は複数のどの制御チャネル要素が自身に割り当てられているのかを知らなければならない。複数の制御チャネル要素が１つの移動端末に割り当てられるとき、その移動端末に割り当てられた制御チャネル要素は、制御チャネル要素群のサブセットの制御チャネル要素である。
【００１７】
このような技法の一例を、図４を参照して与える。
【００１８】
図４は、従来技術による制御チャネル要素に対して基地局及び移動端末により実行される異なる操作を示す。
【００１９】
行４０〜４２に示す操作は基地局によって実行され、行４３及び４４に示す操作は移動端末によって実行される。
【００２０】
行４０は、制御チャネル要素上にマッピングされるように意図されている、ＣＲＣと結合された情報の符号化及び変調されたものを示す。
【００２１】
行４１は、宛先移動端末の識別子の例を示す。
【００２２】
行４２は、基地局が、ブール排他的ＯＲを使用して、ＣＲＣと結合された情報の符号化及び変調されたものにより形成されたデータを宛先移動端末の識別子によりマスキングした結果を示す。このマスキングされたデータは、制御チャネル要素上にマッピングされる。
【００２３】
行４３は、制御チャネル要素上にマッピングされたデータをマスキングするための、ＵＥ２と記された移動端末によって使用されるマスクを示す。
【００２４】
行４４は、ＵＥ２と記された移動端末が、ブール排他的ＯＲを使用して、制御チャネル要素上にマッピングされたデータをその移動端末の識別子によりマスキングした結果を示す。
【００２５】
列４５ａは、ＵＥ１と記された移動端末に割り当てられた第１の制御チャネル要素について基地局により実行される操作を示し、列４５ｂは、移動端末ＵＥ１に割り当てられた第２の制御チャネル要素について基地局により実行される操作を示す。
【００２６】
列４６ａは、移動端末ＵＥ２に割り当てられた第３の制御チャネル要素について基地局により実行される操作を示し、列４６ｂは、移動端末ＵＥ２に割り当てられた第４の制御チャネル要素について基地局により実行される操作を示す。
【００２７】
ここで、図４の例では、制御チャネル要素は、連続した資源上にあるが、本発明によれば、制御チャネル要素は、必ずしも連続した資源であるわけではないことに留意しなければならない。
【００２８】
セル４７ａ、４７ｂ、４８ａ、及び４８ｂは、移動端末ＵＥ２がそれぞれのマスキングされたデータに対して実行したマスキングの結果を示す。このそれぞれのマスキングされたデータは、移動端末ＵＥ１及びＵＥ２のために割り当てられた受信制御チャネル要素上にマッピングされた、ＣＲＣと結合された情報の符号化及び変調されたものによって形成されたものである。
【００２９】
図４の例は、簡単にするために、３ビット長を有する、ＣＲＣと結合された情報の符号化及び変調されたものしか使用していないが、実際に使用されるＣＲＣと結合された情報の符号化及び変調されたものは、より多数のビットによって表されることを理解することができる。
【００３０】
図４の例によれば、基地局は、移動端末ＵＥ１に割り当てられた第１の制御チャネル要素上に、ＣＲＣと結合された情報の符号化及び変調されたもの「００１」をマッピングすることを意図し、その符号化及び変調された情報を移動端末ＵＥ１の識別子「００１」によってマスキングし、移動端末ＵＥ１に割り当てられた制御チャネル要素上にマッピングされた値「０００」を得る。
【００３１】
基地局は、移動端末ＵＥ１に割り当てられた第２の制御チャネル要素上に、ＣＲＣと結合された情報の符号化及び変調されたものの複製「００１」をマッピングすることを意図し、その複製を移動端末ＵＥ１の識別子「００１」によってマスキングし、移動端末ＵＥ１に割り当てられた第２の制御チャネル要素上にマッピングされた値「０００」を得る。
【００３２】
基地局は、移動端末ＵＥ２に割り当てられた第３の制御チャネル要素上に、ＣＲＣと結合された情報の符号化及び変調されたもの「０１０」をマッピングすることを意図し、その符号化及び変調された情報を移動端末ＵＥ１の識別子「０１１」によってマスキングし、移動端末ＵＥ２に割り当てられた第３の制御チャネル要素上にマッピングされた値「００１」を得る。
【００３３】
基地局は、移動端末ＵＥ２に割り当てられた第４の制御チャネル要素上に、ＣＲＣと結合された情報の符号化及び変調されたものの複製「０１０」をマッピングすることを意図し、その複製を移動端末ＵＥ１の識別子「０１１」によってマスキングし、移動端末ＵＥ２に割り当てられた第４の制御チャネル要素上にマッピングされた値「００１」を得る。
【００３４】
各移動端末は、すべての制御チャネル要素を受信する。移動端末ＵＥ２は、制御チャネル要素上にマッピングされたデータを受信し、制御チャネル要素上にマッピングされた各データを自身の識別子「０１１」によってマスキングする。
【００３５】
移動端末ＵＥ１に割り当てられた第１の制御チャネル要素上にマッピングされたデータのマスキングの結果はセル４７ａに示すように「０１１」に等しく、移動端末ＵＥ１に割り当てられた第２の制御チャネル要素上にマッピングされたデータのマスキングの結果はセル４７ｂに示すように「０１１」に等しく、移動端末ＵＥ２に割り当てられた第３の制御チャネル要素上にマッピングされたデータのマスキングの結果はセル４８ａに示すように「０１０」に等しく、移動端末ＵＥ２に割り当てられた第４の制御チャネル要素上にマッピングされたデータのマスキングの結果はセル４８ｂに示すように「０１０」に等しい。
【００３６】
セル４７ａ及び４７ｂに含まれる値がセル４８ａ及び４８ｂに含まれる値と同様に同一であるので、行４４に示す結果は、２つの連続した制御チャネル要素が移動端末ＵＥ２に割り当てられていることを移動端末ＵＥ２が直ちに判断できないことを実証している。移動端末ＵＥ２は、移動端末ＵＥ２に割り当てられた制御チャネル要素の個数を求めるために、ＣＲＣと結合された情報の符号化及び変調されたものの復調及び復号を行い、セル４７ａ、４７ｂ、４８ａ、及び４８ｂに含まれる結果が行４０に含まれる結果と同一であるか否かを確認するためにその情報に関するＣＲＣ検査を実行する。
【００３７】
セル４７ａのＣＲＣ検査は失敗するので、誤ったマスクが適用されていたことになる。すなわち、第１の制御チャネル要素は、移動端末ＵＥ２に割り当てられていない。
【００３８】
セル４７ｂのＣＲＣ検査は失敗するので、誤ったマスクが適用されていたことになる。すなわち、その制御チャネル要素は、移動端末ＵＥ２に割り当てられていない。
【００３９】
セル４８ａのＣＲＣ検査は成功するので、正しいマスクが適用されていたことになる。すなわち、その制御チャネル要素は、移動端末ＵＥ２に割り当てられている。
【００４０】
セル４８ｂのＣＲＣ検査は成功するので、正しいマスクが適用されていたことになる。すなわち、２つの制御チャネル要素が、移動端末ＵＥ２に割り当てられている。
【００４１】
これまで示したように、各移動端末は、各制御チャネル要素に対してマスクを適用し、ＣＲＣと結合された情報の符号化及び変調されたものの復調及び復号に進み、各制御チャネル要素のＣＲＣ検査を行う必要がある。
【００４２】
このようなプロセスは、移動端末のために高処理能力を必要とし、移動端末のコストを増加させる。
【００４３】
したがって、本発明の目的は、各制御チャネル要素について、ＣＲＣと結合された情報の符号化及び変調されたものの復調及び復号に進むこと並びにＣＲＣ検査を行うことを回避できるようにする方法及び装置を提案することである。
【００４４】
その目的のために、本発明は、チャネル資源のチャネル要素群の少なくとも第１のチャネル要素及び第２のチャネル要素を電気通信装置によって宛先に割り当てる方法であって、各チャネル要素は、チャネル資源の所定の一区分であり、該方法は、電気通信装置によって実行されるステップであって、
第１のチャネル要素について、チャネル要素群内における第１のチャネル要素の位置に従って且つ宛先に従って、第１のランダム化機能を選択するステップ、
第２のチャネル要素について、チャネル要素群内における第２のチャネル要素の位置に従って且つ宛先に従って、第２のランダム化機能を選択するステップ、
第１のランダム化機能によって第１のチャネル要素に含められるデータを処理すると共に、第２のランダム化機能によって第１のチャネル要素に含められるデータを処理するステップ、及び
チャネル資源の他のチャネル要素上にマッピングされた、他のランダム化機能によって処理された他のデータと組み合わせて、第１のランダム化機能によって処理されたデータを第１のチャネル要素上にマッピングすることにより、第１のランダム化機能によって処理されたデータを転送すると共に、第２のランダム化機能によって処理されたデータを第２のチャネル要素上にマッピングすることにより、第２のランダム化機能によって処理されたデータを転送するステップ、
を含むことを特徴とする、方法に関する。
【００４５】
本発明は、チャネル資源のチャネル要素群の少なくとも第１のチャネル要素及び第２のチャネル要素を宛先に割り当てる装置であって、各チャネル要素は、チャネル資源の所定の一区分であり、該割り当てる装置は、電気通信装置内に含まれ、
第１のチャネル要素について、チャネル要素群内における第１のチャネル要素の位置に従って且つ宛先に従って、第１のランダム化機能を選択する手段、
第２のチャネル要素について、チャネル要素群内における第２のチャネル要素の位置に従って且つ宛先に従って、第２のランダム化機能を選択する手段、
第１のランダム化機能によって第１のチャネル要素に含められるデータを処理すると共に、第２のランダム化機能によって第１のチャネル要素に含められるデータを処理する手段、及び
チャネル資源の他のチャネル要素上にマッピングされた、他のランダム化機能によって処理された他のデータと組み合わせて、第１のランダム化機能によって処理されたデータを第１のチャネル要素上にマッピングすることにより、第１のランダム化機能によって処理されたデータを転送すると共に、第２のランダム化機能によって処理されたデータを第２のチャネル要素上にマッピングすることにより、第２のランダム化機能によって処理されたデータを転送する手段、
を備えることを特徴とする、装置にも関する。
【００４６】
したがって、同じランダム化機能を使用する代わりに、宛先に割り当てられた異なるランダム化機能を使用することによって、宛先は、各チャネル要素について、ＣＲＣと結合された情報の符号化及び変調されたものの復調及び復号を行う必要なく且つ情報に対してＣＲＣ検査を行う必要なく、少なくとも２つのチャネル要素がその宛先に割り当てられていることを直ちに判断することができる。
【００４７】
特定の特徴によれば、ランダム化機能はスクランブルシーケンスであり、データのプロセスは乗算である。
【００４８】
特定の特徴によれば、ランダム化機能はインタリーブ機能であり、データのプロセスは並べ替えである。
【００４９】
特定の特徴によれば、割り当ては、少なくとも２つの宛先にについて実行される。
【００５０】
特定の特徴によれば、データは、情報の巡回冗長と結合された該情報を変調及び符号化することによって形成される。
【００５１】
したがって、異なる宛先に割り当てられた異なるランダム化機能を使用することによって、各宛先は、各チャネル要素について、ＣＲＣと結合された情報の符号化及び変調されたものの復調及び復号を行う必要なく且つ情報に対してＣＲＣ検査を行う必要なく、少なくとも２つの連続したチャネル要素がその宛先に割り当てられていることを直ちに判断することができる。
【００５２】
特定の特徴によれば、宛先は、別の電気通信装置又は該別の電気通信装置によって実行されるアプリケーションである。
【００５３】
したがって、別の電気通信装置は、符号化及び変調された情報内において、制御チャネル要素が割り当てられている１つ又は複数のアプリケーションを識別する情報をリトリーブするためにその符号化及び変調された情報の復調及び復号を行う必要なく、チャネル要素がいずれの１つ又は複数のアプリケーションに割り当てられているのかを識別することが可能である。
【００５４】
特定の特徴によれば、チャネル要素は制御チャネル要素であり、データは、チャネル要素群のサブセットについて宛先により使用される変調及び／若しくは符号化方式、並びに／又は該チャネル要素群のサブセットのロケーション、並びに／又は該チャネル要素群のサブセットについて宛先により使用される時空間符号を表す。
【００５５】
特定の特徴によれば、少なくとも第１のチャネル要素及び第２のチャネル要素は、チャネル要素群における連続したチャネル要素である。
【００５６】
本発明は、チャネル資源のチャネル要素群の少なくとも第１のチャネル要素及び第２のチャネル要素が第１の電気通信装置によって宛先に割り当てられているか否かを判断する方法であって、各チャネル要素は、チャネル資源の所定の一区分であり、該方法は、宛先によって実行されるステップであって、
受信データがマッピングされたチャネル要素群を受信するステップ、
各チャネル要素について、チャネル要素群におけるそのチャネル要素の位置に従ってランダム化機能を選択するステップ、
各チャネル要素上にマッピングされた受信データを、その受信データがマッピングされたそのチャネル要素について決定されたランダム機能により処理するステップ、
処理された受信データの中から、チャネル要素群のサブセットの少なくとも２つのチャネル要素上にマッピングされた受信データから得られた少なくとも２つの同一の処理された受信データを決定するステップ、及び
少なくとも２つの処理された受信データが同一である場合に、チャネル要素群のサブセットの少なくとも２つのチャネル要素が宛先に割り当てられていると判定するステップ、
を含むことを特徴とする、方法にも関する。
【００５７】
本発明は、チャネル資源のチャネル要素群の少なくとも第１のチャネル要素及び第２のチャネル要素が第１の電気通信装置によって宛先に割り当てられているか否かを判断する装置であって、各チャネル要素は、チャネル資源の所定の一区分であり、該判断する装置は、第２の電気通信装置内に含まれ、
受信データがマッピングされたチャネル要素群を受信する手段、
各チャネル要素について、チャネル要素群内のそのチャネル要素の位置に従ってランダム化機能を選択する手段、
各チャネル要素上にマッピングされた受信データを、その受信データがマッピングされたそのチャネル要素について決定されたランダム機能により処理する手段、
処理された受信データの中から、チャネル要素群のサブセットの少なくとも２つのチャネル要素上にマッピングされた受信データから得られた少なくとも２つの同一の処理された受信データを決定する手段、及び
少なくとも２つの処理された受信データが同一である場合に、チャネル要素群のサブセットの少なくとも２つのチャネル要素が宛先に割り当てられていると判定する手段、
を備えることを特徴とする、装置にも関する。
【００５８】
したがって、異なるランダム化機能を使用することによって、宛先は、各チャネル要素について、ＣＲＣと結合された情報の符号化及び変調されたものの復調及び復号を行う必要なく且つ情報に対してＣＲＣ検査を行う必要なく、少なくとも２つのチャネル要素がその宛先に割り当てられていることを直ちに判断することができる。
【００５９】
さらに、ランダム化機能は、チャネル要素群におけるチャネル要素の位置に従って決定されるので、使用されるランダム化機能のリトリーブ(retrieval)の実施は簡単である。
【００６０】
特定の特徴によれば、ランダム化機能はスクランブル解除シーケンスであり、データのプロセスは乗算である。
【００６１】
特定の特徴によれば、ランダム化機能はインタリーブ解除機能であり、データのプロセスは並べ替えである。
【００６２】
特定の特徴によれば、各チャネル要素上にマッピングされた受信データに対応する処理された受信データは、Ｔ個の連続した変調シンボルの形態にあり、
決定は、
チャネル要素群の各可能なサブセットを選択することであって、各サブセットは、少なくとも２つのチャネル要素を含む、選択すること、
チャネル要素群の各可能なサブセットについて、
そのサブセットを、α個のチャネル要素を含む第１の部分及びβ個のチャネル要素を含む第２の部分に分割することであって、α＋β＝Ｌであり、Ｌはそのサブセットに含まれるチャネル要素の個数である、分割すること、
同じ位置を有するα個のシンボルのＴ回の累算を実行することによって、第１の部分のα個のチャネル要素の累算を求めること、
同じ位置を有するβ個のシンボルのＴ回の累算を実行することによって、第２の部分のβ個のチャネル要素の累算を求めること、
第１の部分に対して実行された累算の結果及び第２の部分に対して実行された累算の結果を処理すること、及び
結果のプロセスの結果から正規化された値を得ること、
最も高い正規化された値を選択すること、並びに
最も高い正規化された値をしきい値と比較すること、
によって得られる。
【００６３】
本発明の発明者らは、連続した位置を第１の部分及び第２の部分に分割し、各部分に対してそれぞれ累算を実行することによって、結果が改善されることを見出した。
【００６４】
特定の特徴によれば、第１の部分に対して実行された累算及び第２の部分に対して実行された累算の処理は、第１の部分対して実行された累算及び第２の部分に対して実行された累算の累算である。
【００６５】
特定の特徴によれば、第１の部分に対して実行された累算及び第２の部分に対して実行された累算の処理は、第１の部分対して実行された累算及び第２の部分に対して実行された累算の相関(correlation)である。
【００６６】
この相関は、繰り返しパターンの位置を特定することによって宛先を区別するのに使用される。繰り返しが、３つ以上の制御チャネル要素に対して行われる場合、２つ以上のピークが得られ、割り当てられたチャネル要素上で受信された信号を累算することによってそれを利用することがより優れている。この累算は、信号対雑音比を高め且つ復号性能を改善することを目的とする。これによって、電力ピークが単一になるという結果も得られる。
【００６７】
このため、提案した解決法は、相関による区別と累算による信号対雑音比との間の妥協案(compromise)である。
【００６８】
特定の特徴によれば、α＝β＝Ｌ／２、又はα＝（Ｌ−１）／２及びβ＝（Ｌ＋１）／２である。
【００６９】
本発明の発明者らは、α＝β＝Ｌ／２、又はα＝（Ｌ−１）／２及びβ＝（Ｌ＋１）／２を選択することによって、性能が改善されることを見出した。
【００７０】
特定の特徴によれば、最も高い正規化された値がしきい値よりも大きい場合には、判定は、
正規化された値を順序付けること、
最も高い正規化された値の少なくとも一部を選択すること、並びに
判定が得られなくなるまで、最も高い選択された正規化された値から最も低い選択された正規化された値へ向けて、
正規化された値が得られる取得元のサブセットについて、同じ位置を有するＬ個のシンボルのＴ回の累算を実行することによってＬ個のチャネル要素の累算を求めること、
Ｌ個のシンボルの累算の結果を復調すること、
情報の巡回冗長と結合された該情報を得るために復調の結果のビットを復号すること、
巡回冗長を検査すること、及び
巡回冗長検査が正しい場合には、正規化された値が得られる取得元のサブセットのＬ個のチャネル要素が宛先に割り当てられていると判定すること、
によって得られる。
【００７１】
したがって、正規化された値を順序付けることによって、最も高い正規化された値の少なくとも一部を選択すると共に最も高い値から最も低い値に向けて本発明を実行することにより、判定を高速に行うことができる。
【００７２】
特定の特徴によれば、選択された値のそれぞれについて冗長検査が正しくない場合には、該方法は、
チャネル要素群内の１つのチャネル要素が宛先に割り当てられているとの判定が得られなくなるまで、
受信データがマッピングされたチャネル要素群のチャネル要素を選択するステップ、
選択されたチャネル要素上にマッピングされた受信データを復調するステップ、
情報の巡回冗長と結合された該情報を得るために復調の結果のビットを復号するステップ、
巡回冗長を検査するステップ、及び
巡回冗長検査が正しい場合には、チャネル要素が宛先に割り当てられていると判定するステップ、
をさらに含む。
【００７３】
したがって、最も高い正規化された値がしきい値よりも大きい場合には、１つのチャネル要素がアプリケーションに割り当てられているか否かを判定することを意図したプロセスを実行する前に、少なくとも２つのチャネル要素がアプリケーションに割り当てられているか否かを判定することを意図したプロセスを実行することによって、判定を高速に行うことができる。
【００７４】
特定の特徴によれば、チャネル要素群内の１つのチャネル要素が宛先に割り当てられているとの判定が得られない場合には、該方法は、
最も高い正規化された値の一部に属さない正規化された値の少なくとも一部を選択するステップ、並びに
判定が得られなくなるまで、最も高い正規化された値の一部に属さない正規化された値の一部の最も高い選択された正規化された値から最も低い選択された正規化された値に向かって、
正規化された値が得られる取得元のサブセットについて、同じ位置を有するＬ個のシンボルのＴ回の累算を実行することによってＬ個のチャネル要素の累算を求めるステップ、
Ｌ個のシンボルの累算の結果を復調するステップ、
情報の巡回冗長と結合された該情報を得るために復調の結果のビットを復号するステップ、
巡回冗長を検査するステップ、及び
冗長検査が正しい場合には、正規化された値が得られる取得元のサブセットのＬ個のチャネル要素が宛先に割り当てられていると判定するステップ、
をさらに含む。
【００７５】
したがって、多数の可能なケースが効率的に考察される。
【００７６】
特定の特徴によれば、最も高い正規化された値がしきい値よりも小さい場合には、判定は、
チャネル要素群内の１つのチャネル要素が宛先に割り当てられているとの判定が得られなくなるまで、
受信データがマッピングされたチャネル要素群のチャネル要素を選択すること、
選択されたチャネル要素上にマッピングされた受信データを復調すること、
情報の巡回冗長と結合された該情報を得るために復調の結果のビットを復号すること、
巡回冗長を検査すること、及び
巡回冗長検査が正しい場合には、チャネル要素が宛先に割り当てられていると判定すること、
によって得られる。
【００７７】
したがって、判定を高速に行うことができる。
【００７８】
特定の特徴によれば、チャネル要素群内の１つのチャネル要素が宛先に割り当てられているとの判定が得られない場合には、判定は、
正規化された値を順序付けること、
最も高い正規化された値の少なくとも一部を選択すること、並びに
判定が得られなくなるまで、最も高い選択された正規化された値から最も低い選択された正規化された値へ向けて、
正規化された値が得られる取得元のサブセットについて、同じ位置を有するＬ個のシンボルのＴ回の累算を実行することによってＬ個のチャネル要素の累算を求めること、
Ｌ個のシンボルの累算の結果を復調すること、
情報の巡回冗長と結合された該情報を得るために復調の結果のビットを復号すること、
巡回冗長を検査すること、及び
巡回冗長検査が正しい場合には、情報及び巡回冗長が得られた取得元のサブセットのＬ個のチャネル要素が宛先に割り当てられていると判定すること、
によって得られる。
【００７９】
したがって、最も高い正規化された値がしきい値よりも小さい場合には、１つのチャネル要素がアプリケーションに割り当てられているか否かを判定することを意図したプロセスを実行するか、又は少なくとも２つのチャネル要素がアプリケーションに割り当てられているか否かを判定することを意図したプロセスを実行することによって、判定を高速に行うことができる。
【００８０】
特定の特徴によれば、各チャネル要素上にマッピングされた受信データに対応する処理された受信データは、Ｔ個の連続した変調シンボルの形態にあり、決定及び判定は、
チャネル要素群の第１の可能なサブセットを選択することであって、該第１の可能なサブセットは少なくとも２つのチャネル要素を含む、チャネル要素群の第１の可能なサブセットを選択すること、
第１の可能なサブセットを、α個のチャネル要素を含む第１の部分及びβ個のチャネル要素を含む第２の部分に分割することであって、α＋β＝Ｌであり、Ｌは第１の可能なサブセットに含まれるチャネル要素の個数である、第１の可能なサブセットを分割すること、
同じ位置を有するα個のシンボルのＴ回の累算を実行することによって、第１の可能なサブセットの第１の部分のα個のチャネル要素の累算を求めること、
同じ位置を有するβ個のシンボルのＴ回の累算を実行することによって、第１の可能なサブセットの第２の部分のβ個のチャネル要素の累算を求めること、
第１の可能なサブセットの第１の部分及び第２の部分に対して実行された累算の結果を処理すること、
結果のプロセスの結果から第１の正規化された値を得ること、
チャネル要素群の第２の可能なサブセットを選択することであって、該第２の可能なサブセットは少なくとも２つのチャネル要素を含む、チャネル要素群の第２の可能なサブセットを選択すること、
第２の可能なサブセットを、α’個のチャネル要素を含む第１の部分及びβ’個のチャネル要素を含む第２の部分に分割することであって、α’＋β’＝Ｌ’であり、Ｌ’は第２の可能なサブセットに含まれるチャネル要素の個数である、第２の可能なサブセットを分割すること、
同じ位置を有するα’個のシンボルのＴ回の累算を実行することによって、第２の可能なサブセットの第１の部分のα’個のチャネル要素の累算を求めること、
同じ位置を有するβ’個のシンボルのＴ回の累算を実行することによって、第２の可能なサブセットの第２の部分のβ’個のチャネル要素の累算を求めること、
第２の可能なサブセットの第１の部分及び第２の部分に対して実行された累算の結果を処理すること、
結果のプロセスの結果から第２の正規化された値を得ること、
第２の正規化された値がしきい値よりも大きいか否かを検査すること、
第２の正規化された値が第１の正規化された値よりも小さいか否かを検査すること、並びに
第２の正規化された値が第１の正規化された値よりも小さく且つしきい値よりも大きい場合には、
第１のサブセットの第１の部分及び第２の部分に対して実行された累算の結果を復調すること、
情報の巡回冗長と結合された該情報を得るために復調の結果のビットを復号すること、
巡回冗長を検査すること、及び
冗長検査が正しい場合には、第１のサブセットのＬ個のチャネル要素が宛先に割り当てられていると判定すること、
によって得られる。
【００８１】
特定の特徴によれば、α＝β＝Ｌ／２且つα’＝β’＝Ｌ’／２、又はα＝（Ｌ−１）／２且つβ＝（Ｌ＋１）／２且つα’＝（Ｌ’−１）／２且つβ’＝（Ｌ’＋１）／２である。
【００８２】
特定の特徴によれば、少なくとも第１のチャネル要素及び第２のチャネル要素は、チャネル要素群において連続したチャネル要素である。
【００８３】
さらに別の態様によれば、本発明は、プログラマブル装置内に直接ロード可能とすることができるコンピュータプログラムであって、該コンピュータプログラムがプログラマブル装置上で実行されると本発明による方法のステップを実施するための命令又はコード部を含む、コンピュータプログラムに関する。
【００８４】
コンピュータプログラムに関連する特徴及び利点は、本発明による方法及び装置に関連して上記で述べたものと同じであるので、ここでは繰り返さないことにする。
【００８５】
本発明の特徴は、一例の実施形態の以下の説明を読むことによってより明らかになる。該説明は、添付図面を参照して作成されたものである。
【図面の簡単な説明】
【００８６】
【図１】本発明による電気通信ネットワークのアーキテクチャを表す図である。
【図２】本発明による第１の電気通信装置のブロック図である。
【図３】本発明による第２の電気通信装置のブロック図である。
【図４】従来技術による制御チャネル要素に対して基地局及び移動端末により実行される異なる操作を示す。
【図５】本発明による、制御チャネル要素について第１の電気通信装置及び第２の電気通信装置により実行される異なる操作を示す。
【図６】本発明による第１の電気通信装置によって実行されるアルゴリズムを示す。
【図７ａ】本発明の第１の実現モード及び第２の実現モードによる各第２の電気通信装置によって実行されるアルゴリズムを示す。
【図７ｂ】本発明の第１の実現モードによる各第２の電気通信装置によって実行されるアルゴリズムを示す。
【図７ｃ】本発明の第１の実現モード、第２の実現モード、及び第３の実現モードによる各第２の電気通信装置によって実行されるアルゴリズムを示す。
【図７ｄ】本発明の第３の実現モードによる各第２の電気通信装置によって実行されるアルゴリズムを示す。
【図８】制御チャネル要素群が６つの制御チャネル要素を含む一例における制御チャネル要素群のサブセットを示す。
【図９】制御チャネルが６つの制御チャネル要素を含む一例における制御チャネル要素群の各制御チャネル要素に含まれるシンボルの一例を示す。
【図１０】本発明による制御チャネル要素をスクランブルするために決定されたスクランブルシーケンスの複数の部分の一例を開示する。
【００８７】
図１は、本発明による電気通信ネットワークのアーキテクチャを表す図である。
【００８８】
本発明は、無線セルラーネットワーク又はローカルエリアネットワークのような無線ネットワークにおいて説明されるが、本発明は、電力線ネットワークのような有線ネットワークにも適用可能である。
【００８９】
簡単にするために、図１には、１つの第１の電気通信装置ＢＳの１つのカバレッジエリア５０しか示されていないが、実際には、特に無線ネットワークが無線セルラーネットワークであるときは、無線セルラー電気通信ネットワークは、より大きな個数の第１の電気通信装置ＢＳ及びより大きな個数のカバレッジエリア５０で構成される。
【００９０】
図１の電気通信ネットワークでは、少なくとも１つではあるが好ましくは複数の第２の電気通信装置ＵＥ１、ＵＥ２、及びＵＥ３が、第１の電気通信装置ＢＳのカバレッジエリア５０内に含まれる。
【００９１】
簡単にするために、図１には、３つの第２の電気通信装置ＵＥしか示されていないが、実際には、より大きな個数の第２の電気通信装置ＵＥが第１の電気通信装置ＢＳのカバレッジエリア５０内に存在する。
【００９２】
第１の電気通信装置ＢＳは、基地局ＢＳ又はノードＢ又はノード又はエンハンストノードＢ又はアクセスポイントである。
【００９３】
第２の電気通信装置ＵＥは、例として、移動電話、携帯情報端末又はパーソナルコンピュータ又はコンピュータ周辺装置である。
【００９４】
図１の例によれば、第１の電気通信装置ＢＳは、少なくとも１つの第２の電気通信装置ＵＥｉと通信することを意図している。ここで、ｉ＝１〜３である。そのために、第１の電気通信装置ＢＳは、電気通信ネットワークチャネル資源の複数の部分を第２の電気通信装置ＵＥに割り当てる。
【００９５】
従来技術で開示したように、第１の電気通信装置ＢＳは、各第２の電気通信装置ＵＥに対して、１つ又は複数のどのチャネル要素が、ダウンリンク送信用及び／又はアップリンク送信のためにその第２の電気通信装置ＵＥに割り当てられるのかを示す必要がある。
【００９６】
そのために、第１の電気通信装置ＢＳは、制御チャネル要素で構成される制御チャネル要素群を使用する。
【００９７】
１つ又は複数の制御チャネル要素が、例として、第１の電気通信装置ＢＳと第２の電気通信装置ＵＥとを隔てる距離に従って、又は第１の電気通信装置ＢＳと第２の電気通信装置ＵＥとの間の通信リンクに存在する減衰又は干渉に従って、又は転送されるデータの量に従って、所与の第２の電気通信装置ＵＥに割り当てられる。複数の制御チャネル要素が所与の第２の電気通信装置ＵＥに割り当てられるとき、これらの制御チャネル要素は連続しているか又は連続していない。
【００９８】
第２の電気通信装置ＵＥに割り当てられるチャネル要素又は制御チャネル要素は、チャネル要素若しくは制御チャネル要素、又はチャネル要素群若しくは制御チャネル要素群のサブセットである。
【００９９】
本発明によれば、各第２の電気通信装置ＵＥが、自身に割り当てられた１つ又は複数のチャネル要素及びデータの双方を、制御チャネル要素群を通じて回復することを可能にするために、第１の電気通信装置ＵＥは、情報のＣＲＣと結合された当該情報の符号化及び変調されたものによって形成されたデータを処理し、処理されたデータを制御チャネル要素上にマッピングする。このデータは、その制御チャネル要素が割り当てられる宛先及びその制御チャネル要素の制御チャネル要素群内における位置に従って決まるランダム化機能によって処理される。
【０１００】
ランダム化機能は、データの繰り返し構造を断つことを目的としたスクランブルシーケンス又はインタリーブ機能である。
【０１０１】
ランダム化機能がスクランブルシーケンスであるとき、データのプロセスは、データとスクランブルシーケンスとの乗算となる。
【０１０２】
ランダム化機能がインタリーブ機能であるとき、データのプロセスは、インタリーブ機能によるデータの並べ替えとなる。
【０１０３】
本発明では、データの繰り返し構造を断つ他の任意の技法を使用することができる。
【０１０４】
１つ若しくは複数のチャネル要素又は１つ若しくは複数の制御チャネル要素が割り当てられる宛先は、第２の電気通信装置であり、より正確に言えば、第２の電気通信装置ＵＥ上で実行されるアプリケーションである。アプリケーションは、ダウンリンクチャネルを通じたデータの受信を管理するアプリケーション、又はアップリンクチャネルを通じたデータの転送を管理するアプリケーション、又はビデオアプリケーション若しくは音声アプリケーションに関連するデータのような特定のデータの受信及び／若しくは転送のような他の任意のアプリケーションのいずれかである。
【０１０５】
このアプリケーションが、ダウンリンクチャネルを通じたデータの受信を管理するアプリケーションであるとき、割り当てられた１つ又は複数の制御チャネル要素は、ダウンリンクチャネルを通じたデータの受信を管理するアプリケーションを実行する第２の電気通信装置ＵＥによる、ダウンリンクチャネルを通じたデータの受信を許可する。
【０１０６】
このアプリケーションが、ダウンリンクチャネルを通じたデータの受信を管理するアプリケーションであるとき、割り当てられた１つ又は複数のチャネル要素は、ダウンリンクチャネルを通じたデータの受信を管理するアプリケーションを実行する第２の電気通信装置ＵＥによる、それらの割り当てられた１つ又は複数のチャネル要素上でのダウンリンクチャネルを通じたデータの受信を許可する。
【０１０７】
このアプリケーションが、アップリンクチャネルを通じたデータの転送を管理するアプリケーションであるとき、割り当てられた１つ又は複数のチャネル制御要素は、アップリンクチャネルを通じたデータの転送を管理するアプリケーションを実行する第２の電気通信装置ＵＥによる、アップリンクチャネルを通じたデータの転送を許可する。
【０１０８】
このアプリケーションが、アップリンクチャネルを通じたデータの転送を管理するアプリケーションであるとき、割り当てられた１つ又は複数のチャネル要素は、アップリンクチャネルを通じたデータの転送を管理するアプリケーションを実行する第２の電気通信装置ＵＥによる、それらの割り当てられた１つ又は複数のチャネル要素上でのアップリンクチャネルを通じたデータの転送を許可する。
【０１０９】
限定的でなく好ましくは、ランダム化機能がスクランブルシーケンスであるとき、スクランブルシーケンスは、制御チャネル要素が割り当てられる第２の電気通信装置ＵＥの識別子の一部である。この識別子の一部は、制御チャネル要素群におけるその制御チャネル要素の位置に従って、第２の電気通信装置ＵＥの識別子の複数の部分の中から決定される。
【０１１０】
限定的でなく好ましくは、ランダム化機能がインタリーブ機能であるとき、インタリーブ機能は、制御チャネル要素が割り当てられる第２の電気通信装置ＵＥの識別子から導出される。インタリーブ機能のそれぞれは、他のインタリーブ機能とは異なる。
【０１１１】
第２の電気通信装置ＵＥの識別子は、第１の電気通信装置ＢＳのカバレッジエリア５０に含まれる他の第２の電気通信装置ＵＥの中からその第２の電気通信装置ＵＥを一意に識別する情報であるか、又は電気通信ネットワークの少なくとも一部に含まれる他の第２の電気通信装置ＵＥの中からその第２の電気通信装置ＵＥを一意に識別する情報である。
【０１１２】
第２の電気通信装置ＵＥは、２つ以上の識別子を有することができる。例として、或る識別子は、ダウンリンク送信のために第２の電気通信装置ＵＥに１つ又は複数のどのチャネル要素が割り当てられるのかを、その第２の電気通信装置に対して示すのに使用することができ、別の識別子は、アップリンク送信のために第２の電気通信装置ＵＥに１つ又は複数のどのチャネル要素が割り当てられるのかを、その第２の電気通信装置ＵＥに示すのに使用することができる。
【０１１３】
別の例によれば、第２の電気通信装置ＵＥ上で実行される異なるアプリケーションに対して、１つ又は複数のどのチャネル要素がそれらのアプリケーションにそれぞれ割り当てられるのか示すのに、異なる複数の識別子が使用される。
【０１１４】
このような決定の一例を、図１０を参照して与える。
【０１１５】
図１０は、本発明による制御チャネル要素をスクランブルするために決定されたスクランブルシーケンスの複数の部分の一例を開示する。
【０１１６】
簡単にするために、図１０の例は、第２の電気通信装置ＵＥが単一の識別子を有する一例を開示する。
【０１１７】
行１００は、６つの制御チャネル要素ＣＣＥ１〜ＣＣＥ６で構成される制御チャネル要素群を表す。簡単にするために、６つの制御チャネル要素しか示されていないが、実際には、制御チャネル要素群は、より大きな個数の制御チャネル要素で構成される。
【０１１８】
行１０１は第２の電気通信装置ＵＥ１の識別子を表し、行１０２は第２の電気通信装置ＵＥ２の識別子を表し、行１０３は第２の電気通信装置ＵＥ３の識別子を表す。各識別子は他の識別子と異なる。本発明によれば、各識別子は、Ｎ個のスクランブルシーケンスに分割される。ここで、Ｎは、制御チャネル要素群の制御チャネル要素の個数に少なくとも等しい。各スクランブルシーケンスは他のスクランブルシーケンスと異なる。
【０１１９】
ここで、スクランブルシーケンスは、古典的な符号割り当て方法から決定でき、特に、符号間の最大距離を保証する符号割り当て方法から決定できることに留意しなければならない。
【０１２０】
（２Ｔ，ＮＵＥＩＤ＋ＮＣＥｉｎｄｅｘ，Ｄｈｍｉｎ）線形符号が使用される。すなわち、入力長ＮＵＥＩＤ＋ＮＣＥｉｎｄｅｘ及び２Ｔの出力長を有する線形符号が使用される。ここで、Ｔは、制御チャネル要素のための変調シンボルの個数であり、換言すれば、１つの制御チャネル要素当たりの資源要素の個数である。この符号の最小ハミング距離は、Ｄｈｍｉｎである。２Ｔビットは、ブール排他的ＯＲマスクを使用するＱＰＳＫ変調の場合に直接使用されることができ、また２Ｔビットは、任意の変調の場合にＴ個の複素シンボルを形成するのに使用されることができる。Ｔ個の複素シンボルは、（２ｃ2i−１）＋ｊ（２ｃ2i+1−１）の形態にある。ここで、ｃxは位置ｘにおけるビットの値である。２NUEIDは第２の電気通信装置ＵＥの識別子の総数であり、ＮＣＥｉｎｄｅｘは１つの識別子当たりのスクランブルシーケンスの個数である。
【０１２１】
ＮＣＥｉｎｄｅｘビットによって、所与の第２の電気通信装置のスクランブルシーケンスを或る制御チャネル要素から別の制御チャネル要素へ変更することが可能になり、ＮＣＥｉｎｄｅｘビットは、ｌｏｇ2（Ｎ）よりも大きな最も近い整数に等しいか又はｌｏｇ2（Ｎ）に等しい。ここで、Ｎは制御チャネル要素群の制御チャネル要素の個数である。
【０１２２】
２つの第２の電気通信装置ＵＥが、異なった識別子、及びＣＲＣと結合された情報の符号化されたものの同じ値を有する場合、それらのスクランブルシーケンスは、少なくともＤｈｍｉｎビットのハミング距離だけ隔てられている。
【０１２３】
線形符号が畳み込み又は巡回である場合、第１の電気通信装置ＢＳは、すべての第２の電気通信装置ＵＥのＮ個のすべてのスクランブルシーケンスを生成する必要はない。第１の電気通信装置ＢＳは、符号の出力においてスクランブルするための２Ｔビットを得るために、線形符号の入力においてＮＣＥｉｎｄｅｘ＋ＮＵＥＩＤビットを正しく設定することにより、瞬時資源割り当て方式（instantaneous resource allocation scheme）に従ってスクランブルシーケンスを生成する。各第２の電気通信装置ＵＥは、自身のスクランブルシーケンスを記憶することもできるし、オンザフライでスクランブルシーケンスを生成することもできる。
【０１２４】
例として、ＮＵＥＩＤが１６に等しく、ＮＣＥｉｎｄｅｘが６に等しく、Ｔが３５に等しい場合、符号は７０分の２２の率（rate）を有する必要がある。
【０１２５】
２２ビットの入力ビットについて１４の拘束長を有する畳み込み符号は（２２＋１３）×２＝７０ビットの出力ビットを提供し、Ｄｈｍｉｎは１６に等しい。
【０１２６】
２２ビットの入力ビットについて３の拘束長を有する畳み込み符号は（２２＋２）×３＝７２ビットの出力ビットを提供し、Ｄｈｍｉｎは８に等しい。
【０１２７】
別の例では、６９分の１９の率を有する代数幾何符号が、２１ビットのハミング距離を提供する。この代数幾何符号は、通常ならば特定のブロック符号であるゴッパ（Goppa）符号として知られている。
【０１２８】
図１０の例によれば、第２の電気通信装置ＵＥ１の識別子は、６つのスクランブルシーケンスＳＣ１１〜ＳＣ１６に分割され、第２の電気通信装置ＵＥ２の識別子は、６つのスクランブルシーケンスＳＣ２１〜ＳＣ２６に分割され、第２の電気通信装置ＵＥ３の識別子は、６つのスクランブルシーケンスＳＣ３１〜ＳＣ３６に分割される。
【０１２９】
スクランブルシーケンスＳＣ１１、ＳＣ２１、及びＳＣ３１は、ＣＲＣと結合された情報の符号化及び変調されたものによって形成されたデータをスクランブルするのに使用することができる。スクランブルされたデータは、第１の制御チャネル要素ＣＣＥ１上にマッピングされる。スクランブルシーケンスＳＣ１２、ＳＣ２２、及びＳＣ３２は、ＣＲＣと結合された情報の符号化及び変調されたものによって形成されたデータをスクランブルするのに使用することができる。スクランブルされたデータは、第２の制御チャネル要素ＣＣＥ２上にマッピングされる。スクランブルシーケンスＳＣ１３、ＳＣ２３、及びＳＣ３３は、ＣＲＣと結合された情報の符号化及び変調されたものによって形成されたデータをスクランブルするのに使用することができる。スクランブルされたデータは、第３の制御チャネル要素ＣＣＥ３上にマッピングされる。スクランブルシーケンスＳＣ１４、ＳＣ２４、及びＳＣ３４は、ＣＲＣと結合された情報の符号化及び変調されたものによって形成されたデータをスクランブルするのに使用することができる。スクランブルされたデータは、第４の制御チャネル要素ＣＣＥ４上にマッピングされる。スクランブルシーケンスＳＣ１５、ＳＣ２５、及びＳＣ３５は、ＣＲＣと結合された情報の符号化及び変調されたものによって形成されたデータをスクランブルするのに使用することができる。スクランブルされたデータは、第５の制御チャネル要素ＣＣＥ５上にマッピングされる。スクランブルシーケンスＳＣ１６、ＳＣ２６、及びＳＣ３６は、ＣＲＣと結合された情報の符号化及び変調されたものによって形成されたデータをスクランブルするのに使用することができる。スクランブルされたデータは、第６の制御チャネル要素ＣＣＥ６上にマッピングされる。
【０１３０】
行１０４は、制御チャネル要素上にマッピングされるデータをスクランブルするために決定されたスクランブルシーケンスの複数の部分の一例を開示する。
【０１３１】
第１の電気通信装置ＢＳは、第１の制御チャネル要素ＣＣＥ１及び第２の制御チャネル要素ＣＣＥ２を第２の電気通信装置ＵＥ１に割り当て、第３の制御チャネル要素ＣＣＥ３から第６の制御チャネル要素ＣＣＥ６を第２の電気通信装置ＵＥ２に割り当てる。第１の電気通信装置ＢＳは、ＣＲＣと結合された情報の符号化及び変調されたものにより形成されたデータをスクランブルシーケンスＳＣ１１によってスクランブルし、その符号化されたデータを制御チャネル要素ＣＣＥ１上にマッピングする。第１の電気通信装置ＢＳは、ＣＲＣと結合された情報の符号化及び変調されたものにより形成されたデータをスクランブルシーケンスＳＣ１２によってスクランブルし、スクランブルされたデータを制御チャネル要素ＣＣＥ２上にマッピングする。第１の電気通信装置ＢＳは、ＣＲＣと結合された情報の符号化及び変調されたものにより形成されたデータをスクランブルシーケンスＳＣ２３によってスクランブルし、スクランブルされたデータを制御チャネル要素ＣＣＥ３上にマッピングする。第１の電気通信装置ＢＳは、ＣＲＣと結合された情報の符号化及び変調されたものにより形成されたデータをスクランブルシーケンスＳＣ２４によってスクランブルし、スクランブルされたデータを制御チャネル要素ＣＣＥ４上にマッピングする。第１の電気通信装置ＢＳは、ＣＲＣと結合された情報の符号化及び変調されたものにより形成されたデータをスクランブルシーケンスＳＣ２５によってスクランブルし、スクランブルされたデータを制御チャネル要素ＣＣＥ５上にマッピングする。第１の電気通信装置ＢＳは、ＣＲＣと結合された情報の符号化及び変調されたものにより形成されたデータをスクランブルシーケンスＳＣ２６によってスクランブルし、スクランブルされたデータを制御チャネル要素ＣＣＥ６上にマッピングする。
【０１３２】
ここで、実現の一変形では、スクランブルシーケンスは、第２の電気通信装置ＵＥの識別子に従って定義されないことに留意しなければならない。
【０１３３】
図１０は、ランダム化機能が、本発明に従って制御チャネル要素上にマッピングされるデータを乗算するために決定されるスクランブルシーケンスである一例を開示する。同様の決定は、ランダム化機能が、本発明に従って制御チャネル要素上にマッピングされるデータを並べ替えるために決定されるインタリーブ機能であるときも行われる。
【０１３４】
各第２の電気通信装置ＵＥは、自身に割り当てられたチャネル要素のサブセット及びデータの双方を、制御チャネル要素を通じて回復しなければならない。より正確に言えば、各第２の電気通信装置ＵＥは、自身に割り当てられた制御チャネル要素の個数及びいずれの制御チャネル要素が自身に割り当てられているのかを知らなければならない。
【０１３５】
このような技法の一例を、図５を参照して与える。
【０１３６】
図５は、本発明による、制御チャネル要素について第１の電気通信装置及び第２の電気通信装置により実行される異なる操作を示す。
【０１３７】
図５は、ランダム化機能がスクランブルシーケンスであるときに実行される異なる操作を開示する。
【０１３８】
行５０〜５１に示す操作は第１の電気通信装置ＢＳによって実行され、行５３及び５４に示す操作は第２の電気通信装置ＵＥ２によって実行される。
【０１３９】
行５０は、ＣＲＣと結合された情報の符号化及び変調されたものによって形成されたデータを示す。このデータは、図４の行４０のものと同一である制御チャネル要素上にマッピングされる。
【０１４０】
行５１は、スクランブルシーケンスの例を示す。ここで、異なる複数のスクランブルシーケンスが所与の第２の電気通信装置ＵＥに割り当てられることに留意しなければならない。各スクランブルシーケンスは、スクランブルされる制御チャネル要素の位置に従い且つそのスクランブルシーケンスが割り当てられる第２の電気通信装置ＵＥに従い決定される。
【０１４１】
２つ以上の識別子が第２の電気通信装置に割り当てられるとき、各スクランブルシーケンスは、スクランブルされる制御チャネル要素の位置に従い、そのスクランブルシーケンスが割り当てられる第２の電気通信装置ＵＥに従い、且つアップリンクチャネルアプリケーション及び／又はダウンリンクチャネルアプリケーションのような宛先アプリケーションに従い決定される。
【０１４２】
行５２は、第１の電気通信装置ＢＳが、例として、マスク及びブール排他的ＯＲを使用して、ＣＲＣと結合された情報の符号化及び変調されたものにより形成されたデータを、上記で開示したように決定されたスクランブルシーケンスによりスクランブルした結果を示す。スクランブルされたデータは、制御チャネル要素上にマッピングされる。
【０１４３】
行５３は、ＣＲＣと結合された情報の符号化及び変調されたものより形成されたデータをスクランブル解除するために第２の電気通信装置ＵＥ２によって決定されたスクランブル解除シーケンスを示す。
【０１４４】
行５４は、第２の電気通信装置ＵＥ２が、ＣＲＣと結合された情報の符号化及び変調されたものをスクランブル解除シーケンスによってスクランブル解除した結果を示す。データをスクランブル解除するのに使用される各スクランブル解除シーケンスは、制御チャネル要素の位置から決定される。
【０１４５】
列５５ａは、第２の電気通信装置ＵＥ１に割り当てられた第１の制御チャネル要素について第１の電気通信装置ＢＳにより実行される操作を示し、列５５ｂは、第２の電気通信装置ＵＥ１に割り当てられた第２の制御チャネル要素について第１の電気通信装置ＢＳにより実行される操作を示す。
【０１４６】
列５６ａは、第２の電気通信装置ＵＥ２に割り当てられた第３の制御チャネル要素について第１の電気通信装置ＢＳにより実行される操作を示し、列５６ｂは、第２の電気通信装置ＵＥ２に割り当てられた第４の制御チャネル要素について第１の電気通信装置ＢＳにより実行される操作を示す。
【０１４７】
ここで、図５の例によれば、制御チャネル要素は連続しているが、制御チャネル要素は、本発明では必ずしも連続でないことに留意しなければならない。
【０１４８】
セル５７ａ、５７ｂ、５８ａ、及び５８ｂは、第２の電気通信装置ＵＥ２が、第２の電気通信装置ＵＥ１及びＵＥ２に割り当てられた制御チャネル要素上にマッピングされた各受信データに対して実行したマスキングの結果を示す。
【０１４９】
図５の例は、簡単にするために、３ビット長を有する、ＣＲＣと結合された情報の符号化及び変調されたものしか使用していないが、実際には、ＣＲＣと結合された情報の符号化及び変調されたものは、より多数のビットによって表されることを理解することができる。
【０１５０】
第２の電気通信装置ＵＥ１は、例として、バイナリ値「１０１１１０１００１１１」に等しい識別子を有し、第２の電気通信装置ＵＥ２は、例として、バイナリ値「０００００１０１００１１」に等しい識別子を有する。
【０１５１】
第１の制御チャネル要素のスクランブルシーケンスは、第１の制御チャネル要素が第２の電気通信装置ＵＥ１に割り当てられる場合には「１０１」に等しく、第１の制御チャネル要素が第２の電気通信装置ＵＥ２に割り当てられる場合には「０００」に等しい。
【０１５２】
第２の制御チャネル要素のスクランブルシーケンスは、第２の制御チャネル要素が第２の電気通信装置ＵＥ１に割り当てられる場合には「１１０」に等しく、第２の制御チャネル要素が第２の電気通信装置ＵＥ２に割り当てられる場合には「００１」に等しい。
【０１５３】
第３の制御チャネル要素のスクランブルシーケンスは、第３の制御チャネル要素が第２の電気通信装置ＵＥ１に割り当てられる場合には「１００」に等しく、第３の制御チャネル要素が第２の電気通信装置ＵＥ２に割り当てられる場合には「０１０」に等しい。
【０１５４】
第４の制御チャネル要素のスクランブルシーケンスは、第４の制御チャネル要素が第２の電気通信装置ＵＥ１に割り当てられる場合には「１１１」に等しく、第４の制御チャネル要素が第２の電気通信装置ＵＥ２に割り当てられる場合には「０１１」に等しい。
【０１５５】
図５の例によれば、第１の電気通信装置ＢＳは、第２の電気通信装置ＵＥ１に割り当てられた第１の制御チャネル要素に、ＣＲＣと結合された情報の符号化及び変調されたもの「００１」をマッピングすることを意図し、その符号化及び変調された情報をスクランブルシーケンス「１０１」によってマスキングし、第２の電気通信装置ＵＥ１に割り当てられた第１の制御チャネル要素上にマッピングされた値「１００」を得る。
【０１５６】
第１の電気通信装置ＢＳは、第２の電気通信装置ＵＥ１に割り当てられた第２の制御チャネル要素に、ＣＲＣと結合された情報の符号化及び変調されたもの「００１」をマッピングすることを意図し、その符号化及び変調された情報をスクランブルシーケンス「１１０」によってマスキングし、第２の電気通信装置ＵＥ１に割り当てられた第２の制御チャネル要素上にマッピングされた値「１１１」を得る。
【０１５７】
第１の電気通信装置ＢＳは、第２の電気通信装置ＵＥ２に割り当てられた第３の制御チャネル要素に、ＣＲＣと結合された情報の符号化及び変調されたもの「０１０」をマッピングすることを意図し、その符号化及び変調された情報をスクランブルシーケンス「０１０」によってマスキングし、第２の電気通信装置ＵＥ２に割り当てられた第３の制御チャネル要素上にマッピングされた値「０００」を得る。
【０１５８】
第１の電気通信装置ＢＳは、第２の電気通信装置ＵＥ２に割り当てられた第４の制御チャネル要素に、ＣＲＣと結合された情報の符号化及び変調されたもの「０１０」をマッピングすることを意図し、その符号化及び変調された情報をスクランブルシーケンス「０１１」によってマスキングし、第２の電気通信装置ＵＥ２に割り当てられた第４の制御チャネル要素上にマッピングされた値「００１」を得る。
【０１５９】
各第２の電気通信装置は、制御チャネル要素上にマッピングされたすべてのデータを受信する。第２の電気通信装置ＵＥ２は、各制御チャネル要素上にマッピングされた受信データを、その制御チャネル要素の位置に従って決定されたそれぞれのスクランブル解除シーケンスによってマスキングする。
【０１６０】
第１の制御チャネル要素上にマッピングされた受信データのマスキングの結果はセル５７ａに示すように「１００」に等しく、第２の制御チャネル要素上にマッピングされた受信データのマスキングの結果はセル５７ｂに示すように「１１０」に等しく、第３の制御チャネル要素上にマッピングされた受信データのマスキングの結果はセル５８ａに示すように「０１０」に等しく、第４の制御チャネル要素上にマッピングされた受信データのマスキングの結果はセル５８ｂに示すように「０１０」に等しい。
【０１６１】
第２の電気通信装置ＵＥ２は、行５４に示す結果に従って、バイナリ「０１０」ワードが繰り返されていたと判断することができる。第２の電気通信装置ＵＥ２は、適切なスクランブル解除シーケンスを使用するので、第２の電気通信装置ＵＥ２のみが、スクランブル解除から同じ値を得ることができる。制御チャネル要素ごとに異なるスクランブル解除シーケンスを使用することによって、及び実際に使用されるビット数が図５に示すものよりもはるかに多いので、第２の電気通信装置ＵＥ２は、ほとんどあらゆる場合に、自身に割り当てられなかった連続した制御チャネル要素について同一の結果を得ない。第２の電気通信装置ＵＥ２は、セル５７ａ及び５７ｂに示す結果に対してＣＲＣ検査の復調、復号、及び実行を行う必要はない。
【０１６２】
残りの場合については、ＣＲＣ検査によって、第２の電気通信装置ＵＥ２に割り当てられなかった連続した制御チャネル要素についての同一の結果が、第２の電気通信装置ＵＥ２に割り当てられた連続した制御チャネル要素として理解されることが回避される。
【０１６３】
図２は、本発明による第１の電気通信装置のブロック図である。
【０１６４】
第１の電気通信装置ＢＳは、例えば、バス２０１によって互いに接続されたコンポーネントと、図６に開示するようなアルゴリズムに関連するプログラムによって制御されるプロセッサ２００とに基づくアーキテクチャを有する。
【０１６５】
ここで、第１の電気通信装置ＢＳは、一変形では、以下で開示するようなプロセッサ２００によって実行される操作と同じ操作を実行する１つ又はいくつかの専用集積回路の形態で実施されることに留意しなければならない。
【０１６６】
バス２０１は、プロセッサ２００を、読み出し専用メモリＲＯＭ２０２、ランダムアクセスメモリＲＡＭ２０３、及びチャネルインタフェース２０５にリンクする。
【０１６７】
読み出し専用メモリＲＯＭ２０２は、図６に開示するようなアルゴリズムに関連するプログラムの命令を含む。これらの命令は、第１の電気通信装置ＢＳに電源が投入されると、ランダムアクセスメモリＲＡＭ２０３へ転送される。
【０１６８】
ＲＡＭメモリ２０３は、変数と、図６に開示するようなアルゴリズムに関連するプログラムの命令とを収容するように意図されるレジスタを含む。
【０１６９】
プロセッサ２００は、制御チャネル要素が割り当てられる宛先及び制御チャネル要素群における制御チャネル要素の位置に従ってランダム化機能を決定することができる。
【０１７０】
図３は、本発明による第２の電気通信装置のブロック図である。
【０１７１】
各第２の電気通信装置ＵＥは、例えば、バス３０１によって互いに接続されたコンポーネントと、図７に開示するようなアルゴリズムに関連するプログラムによって制御されるプロセッサ３００とに基づくアーキテクチャを有する。
【０１７２】
ここで、第２の電気通信装置ＵＥは、一変形では、以下で開示するようなプロセッサ３００によって実行される操作と同じ操作を実行する１つ又はいくつかの専用集積回路の形態で実施されることに留意しなければならない。
【０１７３】
バス３０１は、プロセッサ３００を、読み出し専用メモリＲＯＭ３０２、ランダムアクセスメモリＲＡＭ３０３、及びチャネルインタフェース３０５にリンクする。
【０１７４】
読み出し専用メモリＲＯＭ３０２は、図７に開示するようなアルゴリズムに関連するプログラムの命令を含む。これらの命令は、第２の電気通信装置ＵＥに電源が投入されると、ランダムアクセスメモリＲＡＭ３０３へ転送される。
【０１７５】
ＲＡＭメモリ３０３は、変数と、図７に開示するようなアルゴリズムに関連するプログラムの命令とを収容するように意図されるレジスタを含む。
【０１７６】
プロセッサ３００は、各制御チャネル要素について、制御チャネル要素群におけるその制御チャネル要素の位置に従ってランダム化機能を決定することができる。
【０１７７】
図６は、本発明による第１の電気通信装置によって実行されるアルゴリズムを示す。
【０１７８】
より正確に言えば、本アルゴリズムは、第１の電気通信装置のプロセッサ２００によって実行される。
【０１７９】
ステップＳ６００において、プロセッサ２００は、少なくとも１つの宛先に少なくとも１つの制御チャネル要素（ＣＣＥ）を割り当てるために、少なくとも１つの宛先を選択する。その宛先又は各宛先は、第２の電気通信装置ＵＥであり且つ／又は少なくとも１つの第２の電気通信装置ＵＥによって実行される少なくとも１つのアプリケーションである。例として、プロセッサ２００は、第２の電気通信装置ＵＥ１及びＵＥ２を選択する。
【０１８０】
次のステップＳ６０１において、プロセッサ２００は第１の宛先を選択する。例として、プロセッサ２００は第２の電気通信装置ＵＥ１を選択する。
【０１８１】
次のステップＳ６０２において、プロセッサ２００は、選択された宛先に割り当てられる制御チャネル要素に含まれる情報を繰り返す必要があるか否かを検査する。その宛先に割り当てられる制御チャネル要素に含まれる情報を繰り返す必要がある場合、プロセッサ２００はステップＳ６０４に移動する。繰り返す必要がない場合、プロセッサ２００はステップＳ６０３に移動する。
【０１８２】
図１の例によれば、第２の電気通信装置ＵＥ１は第１の電気通信装置ＢＳから遠くにあり、プロセッサ２００は、その結果、ステップＳ６０４に移動する。
【０１８３】
ステップＳ６０４において、プロセッサ２００は、宛先に割り当てられる制御チャネル要素に含まれる情報を繰り返す必要がある回数を決定する。
【０１８４】
ステップＳ６０５において、プロセッサ２００は、決定された回数の制御チャネル要素を選択された宛先に割り当てる。
【０１８５】
その後、プロセッサ２００は、ステップＳ６０６に移動し、ステップＳ６００において選択されたすべての宛先が処理されたか否かを検査する。ステップＳ６００において選択されたすべての宛先が処理された場合、プロセッサ２００はステップＳ６０８に移動する。処理されていない宛先が残っている場合、プロセッサ２００はステップＳ６０７に移動する。
【０１８６】
ステップＳ６０７において、プロセッサ２００は、ステップＳ６００において選択されたすべての宛先が処理されるまで、別の宛先を選択し、ステップＳ６０２〜Ｓ６０６によって構成されるループを実行する。
【０１８７】
ここで、一変形では、ステップＳ６０４及びＳ６００は、本アルゴリズムの最初のステップにおいて同時に実行されることに留意しなければならない。
【０１８８】
ステップＳ６０８において、プロセッサ２００は、各制御チャネル要素に関する情報を決定する。この情報は、例として、畳み込み符号化又はターボ符号化のようなチャネル符号化、その制御チャネル要素が割り当てられる第２の電気通信装置ＵＥによって使用される変調方式を表す。
【０１８９】
次のステップＳ６０９において、プロセッサ２００は、各情報について、その情報の巡回冗長検査（ＣＲＣ）を計算する。
【０１９０】
次のステップＳ６１０において、プロセッサ２００は、ＣＲＣと結合された各情報を符号化するように無線インタフェース２０６に命令し、ステップＳ６１１において、ＣＲＣと結合された情報の各符号化されたものを変調するように無線インタフェース２０６に命令する。
【０１９１】
次のステップＳ６１２において、プロセッサ２００は、制御チャネル要素群における最初の位置にある制御チャネル要素を選択する。
【０１９２】
次のステップＳ６１３において、プロセッサ２００は、選択された制御チャネル要素が割り当てられる第２の電気通信装置ＵＥを識別する。
【０１９３】
次のステップＳ６１４において、プロセッサ２００は、選択された制御チャネル要素について、ＣＲＣと結合された情報の変調及び符号化されたものにより形成されたデータに対して適用されるランダム化機能を選択する。スクランブルシーケンス又はインタリーブ機能のようなランダム化機能は、ステップＳ６１３において識別された宛先及び制御チャネル要素群における制御チャネル要素の位置に従って決定される。限定ではなく好ましくは、ランダム化機能がスクランブルシーケンスである場合、スクランブルシーケンスは、宛先の識別子の一部である。宛先は、第２の電気通信装置ＵＥ又は第２の電気通信装置ＵＥによって実行されるアプリケーションである。
【０１９４】
次のステップＳ６１５において、プロセッサ２００は、ＣＲＣと結合された情報の変調及び符号化されたものを、選択されたランダム化機能によって処理する。
【０１９５】
次のステップＳ６１８において、プロセッサ２００は、すべての制御チャネル要素が処理されたか否かを検査する。すべての制御チャネル要素が処理された場合、プロセッサ２００はステップＳ６１８に移動する。処理されていない制御チャネル要素が残っている場合、プロセッサ２００はステップＳ６１７に移動し、制御チャネル要素群における次の制御チャネル要素を選択する。
【０１９６】
プロセッサ２００は、すべての制御チャネル要素が処理されるまで、ステップＳ６１３〜Ｓ６１７によって構成されるループを実行する。
【０１９７】
ステップＳ６１８において、プロセッサ２００は、処理された各データを、その後転送されるそれぞれの制御チャネル要素上にマッピングする。
【０１９８】
ここで、宛先が、所与の第２の電気通信装置ＵＥによって実行されるアプリケーションであるとき、プロセッサ２００は、同じ第２の電気通信装置ＵＥによって実行される少なくとも２つのアプリケーションを選択できることに留意しなければならない。
【０１９９】
図７ａは、本発明の第１の実現モード及び第２の実現モードによる各第２の電気通信装置によって実行されるアルゴリズムを示す。
【０２００】
より正確に言えば、本アルゴリズムは、各第２の電気通信装置ＵＥのそれぞれのプロセッサ３００によって実行される。
【０２０１】
ステップＳ７００において、無線インタフェース３０６によって、制御チャネル要素上にマッピングされた受信データの受信がプロセッサ３００に通知される。
【０２０２】
次のステップＳ７０１において、プロセッサ３００は、各制御チャネル要素について、ランダム化機能を得る。このランダム化機能は、スクランブル解除シーケンス又はインタリーブ解除機能である。各制御チャネル要素について、プロセッサ３００は、図５を参照して開示したように、制御チャネル要素群における制御チャネル要素の位置に対応するランダム化機能をＲＡＭメモリ又はＲＯＭメモリに読み込む。一変形では、プロセッサ３００は、図５を参照して開示したように、制御チャネル要素群における制御チャネル要素の位置に対応するランダム化機能をオンザフライで計算する。
【０２０３】
第２の電気通信装置ＵＥが複数の識別子を有するとき、プロセッサ３００は、１つの識別子について、制御チャネル要素群における制御チャネル要素の位置に対応するランダム化機能を選択する。同じステップにおいて、プロセッサ３００は、制御チャネル要素群における制御チャネル要素の位置に対応するランダム化機能によって各制御チャネル要素上にマッピングされた受信データを処理するように無線インタフェース３０６に命令する。
【０２０４】
次のステップＳ７０２において、プロセッサ３００は第１のサブセットを選択する。サブセットは、受信データがマッピングされた少なくとも２つの制御チャネル要素を含む。サブセットの例を図８に与える。
【０２０５】
図８は、制御チャネル要素群が６つの制御チャネル要素を含む一例における制御チャネル要素群のサブセットを示す。
【０２０６】
列８００〜８０４は、２つの制御チャネル要素で構成される異なる可能なサブセットを含む。列８００は、列８００において×印によりマーキングされた制御チャネル要素ＣＣＥ１及びＣＣＥ２で構成されるサブセットを含む。列８０１は、列８０１において×印によりマーキングされた制御チャネル要素ＣＣＥ２及びＣＣＥ３で構成される別のサブセットを含み、列８０２は、列８０２において×印によりマーキングされた制御チャネル要素ＣＣＥ３及びＣＣＥ４で構成される別のサブセットを含む。以下、列８０４まで同様である。
【０２０７】
列８０５〜８０８は、３つの制御チャネル要素で構成される異なる可能なサブセットを含む。列８０９〜８１１は、４つの制御チャネル要素で構成される異なる可能なサブセットを含む。列８１２及び８１３は、５つの制御チャネル要素で構成される異なる可能なサブセットを含み、列８１４は、６つの制御チャネル要素で構成されるサブセットを含む。
【０２０８】
次のステップＳ７０３において、プロセッサ３００は、選択されたサブセットを第１の部分及び第２の部分に分割する。第１の部分はα個の制御チャネル要素を含み、第２の部分はβ個の制御チャネル要素を含み、α＋β＝Ｌである。ここで、Ｌは、選択されたサブセットの制御チャネル要素の総数である。
【０２０９】
好ましくは、Ｌが偶数である場合には、各部分はＬ／２個のチャネル要素を含み、Ｌが奇数である場合には、一方の部分は（Ｌ−１）／２個の制御チャネル要素を含み、他方の部分は（Ｌ＋１）／２個の制御チャネル要素を含む。
【０２１０】
次のステップＳ７０４において、プロセッサ３００は、受信データの処理後に、同じ位置を有するα個のシンボルのＴ回の累算を実行することによって第１の部分のα個のチャネル要素の累算を求める。
【０２１１】
この累算は、信号対雑音比を高め且つ復号性能を改善することを目的とする。
【０２１２】
制御チャネル要素群の各制御チャネル要素に含まれるシンボルの一例を、図９を参照して与える。
【０２１３】
図９は、制御チャネル要素群が６つの制御チャネル要素を含む一例における制御チャネル要素群の各制御チャネル要素に含まれるシンボルの一例を開示する。
【０２１４】
図９の例では、制御チャネル要素群は、６つの制御チャネル要素ＣＣＥ１〜ＣＣＥ６を含む。各制御チャネル要素は、４つのシンボルで構成される。
【０２１５】
図９に示すシンボルは、受信データの処理後のシンボルである。ランダム化機能がインタリーブ解除機能であるとき、図９に示すシンボルは、インタリーブ解除されたものである。
【０２１６】
制御チャネル要素ＣＣＥ２はシンボルＳ1CCE2〜Ｓ4CCE2で構成され、制御チャネル要素ＣＣＥ３はシンボルＳ1CCE3〜Ｓ4CCE3で構成され、制御チャネル要素ＣＣＥ４はシンボルＳ1CCE4〜Ｓ4CCE4で構成され、制御チャネル要素ＣＣＥ５はシンボルＳ1CCE5〜Ｓ4CCE5で構成される。
【０２１７】
サブセットは制御チャネル要素ＣＣＥ２〜ＣＣＥ５で構成され、第１の部分は制御チャネル要素ＣＣＥ２及びＣＣＥ３で構成され、第２の部分は制御チャネル要素ＣＣＥ４及びＣＣＥ５で構成される。
【０２１８】
図９の例によれば、プロセッサ３００は、制御チャネル要素ＣＣＥ２の第１のシンボルＳ1CCE2及び制御チャネル要素ＣＣＥ３の第１のシンボルＳ1CCE3の累算、制御チャネル要素ＣＣＥ２の第２のシンボルＳ2CCE2及び制御チャネル要素ＣＣＥ３の第２のシンボルＳ2CCE3の累算、制御チャネル要素ＣＣＥ２の第３のシンボルＳ3CCE2及び制御チャネル要素ＣＣＥ３の第３のシンボルＳ3CCE3の累算、並びに制御チャネル要素ＣＣＥ２の第４のシンボルＳ4CCE2及び制御チャネル要素ＣＣＥ３の第４のシンボルＳ4CCE3の累算を実行することによって、制御チャネル要素ＣＣＥ２及びＣＣＥ３の累算を求める。その結果、１つの制御チャネル要素のシンボル数に等しい次元を有する１つベクトルが、各部分について得られる。
【０２１９】
次のステップＳ７０５において、プロセッサ３００は、受信データの処理後に、同じ位置を有するβ個のシンボルのＴ回の累算を実行することによって第２の部分のβ個のチャネル要素の累算を求める。
【０２２０】
図９の例によれば、プロセッサ３００は、制御チャネル要素ＣＣＥ４の第１のシンボルＳ1CCE4及び制御チャネル要素ＣＣＥ５の第１のシンボルＳ1CCE5の累算、制御チャネル要素ＣＣＥ４の第２のシンボルＳ2CCE4及び制御チャネル要素ＣＣＥ５の第２のシンボルＳ2CCE5の累算、制御チャネル要素ＣＣＥ４の第３のシンボルＳ3CCE4及び制御チャネル要素ＣＣＥ５の第３のシンボルＳ3CCE5の累算、並びに制御チャネル要素ＣＣＥ４の第４のシンボルＳ4CCE4及び制御チャネル要素ＣＣＥ５の第４のシンボルＳ4CCE5の累算を実行することによって、制御チャネル要素ＣＣＥ４及びＣＣＥ５の累算を求める。
【０２２１】
加法的白色ガウス雑音チャネル（ＡＷＧＮ）の場合、累算は加算である。フェージングチャネルの場合、累算は最大比合成（ＭＲＣ）であり、（スカラーによる）シンボルごとの等化が実行される。この等化は、ゼロフォーシング、最小平均二乗誤差合成（ＭＭＳＥＣ）、等利得合成（ＥＧＣ）、又はＭＲＣとすることができる。
【０２２２】
次のステップＳ７０６において、プロセッサ３００は、第１の部分の累算と第２の部分の累算との間の相関を実行し、等価エネルギーを計算する。
【０２２３】
この相関は、２つの異なるベクトル間の標準的な相互相関操作である。
【０２２４】
ステップＳ７０４において実行された累算の結果はベクトルＶ1であり、ステップＳ７０５において実行された累算の結果はベクトルＶ2である。
【０２２５】
【数１】
2010525700.tif 000003
【０２２６】
プロセッサ３００は、
【０２２７】
【数２】
2010525700.tif 000004
【０２２８】
を計算し、
【０２２９】
【数３】
2010525700.tif 000005
【０２３０】
のノルムを計算する。
【０２３１】
一変形では、第１の部分の実行された累算と第２の部分の実行された累算との間の相関を実行する代わりに、プロセッサ３００は、第１の部分及び第２の部分の累算を実行する。
【０２３２】
次のステップＳ７０７において、無雑音システムの最良のメトリックが、個数Ｌに関係なく、割り当てられたサブセットを識別することを可能にすることを確実にするために、好ましい実現モードによる累算−相関ステップの結果又は実現の変形による累算ステップの結果が正規化値と乗算される。正規化結果は、次に、ＲＡＭメモリ３０３に記憶される。
【０２３３】
ここで、正規化値は、選択されたサブセットの制御チャネル要素の総数Ｌのような、いくつかのパラメータに依存することに留意しなければならない。
【０２３４】
次のステップＳ７０８において、プロセッサ３００は、すべての可能なサブセットが処理されたか否かを検査する。すべての可能なサブセットが処理された場合、プロセッサ３００はステップＳ７１０に移動する。
【０２３５】
少なくとも１つの可能なサブセットが処理されていない場合、プロセッサ３００はステップＳ７０９に移動するとともに別のサブセットを選択し、すべての可能なサブセットが処理されるまで、ステップＳ７０３〜Ｓ７０９で構成されるループを実行する。
【０２３６】
ステップＳ７１０において、プロセッサ３００は、ステップＳ７０７において記憶された最大の正規化結果を選択する。すなわち、最良のメトリックを選択する。
【０２３７】
次のステップＳ７１１において、プロセッサ３００は、最良のメトリックがしきい値よりも小さいか否かを検査する。このしきい値は平均受信電力から計算され、この比較は、第２の電気通信装置ＵＥに対して、１つの制御チャネル要素だけが割り当てられているのか、又はいくつかの制御チャネル要素が割り当てられているかを評価するために、実行される。最良のメトリックがしきい値よりも小さい場合、これは、高い確率で繰り返しが存在しないことを意味し、プロセッサ３００は、次に図７ｃのステップＳ７４０に移動する。最良のメトリックがしきい値よりも小さくない場合、これは、高い確率で少なくとも１つの繰り返しが存在することを意味し、プロセッサ３００は、次に図７ｂのステップＳ７２０に移動する。
【０２３８】
ここで、第２の電気通信装置ＵＥが複数の識別子を有するとき、プロセッサ３００は、各識別子について本アルゴリズムを実行することに留意しなければならない。
【０２３９】
図７ｂは、本発明の第１の実現モードによる各第２の電気通信装置によって実行されるアルゴリズムを示す。
【０２４０】
より正確に言えば、本アルゴリズムは、各第２の電気通信装置ＵＥのプロセッサ３００によって実行される。
【０２４１】
ステップＳ７２０において、プロセッサ３００は、図７ａのステップＳ７０７において記憶された正規化結果を最大値から最小値に順序付ける。
【０２４２】
次のステップＳ７２１において、プロセッサ３００は、最大の正規化結果を、選択される正規化された値が計算される計算元の対応するサブセットと共に選択する。
【０２４３】
次のステップＳ７２２において、プロセッサ３００は、受信データの処理後に、同じ位置を有するＬ個のシンボルのＴ回の累算を実行することによって、Ｌ個のチャネル要素の累算を求める。
【０２４４】
ここで、Ｌ個のすべてのチャネル要素の累算は、図７ａのアルゴリズムに開示したように、第１の部分及び第２の部分に対して逐次実行されないことに留意しなければならない。
【０２４５】
次のステップＳ７２３において、プロセッサ３００は、累算ステップＳ７２２の結果を復調するように無線インタフェース３０６に命令し、ステップＳ７２４において、累算ステップＳ７２２の復調結果を復号するように無線インタフェース３０６に命令する。復調結果は、ビット(bits)で構成され、情報及びＣＲＣを含む。
【０２４６】
次のステップＳ７２５において、プロセッサ３００は、累算ステップの復調復号結果の巡回冗長検査を計算する。
【０２４７】
次のステップＳ７２６において、プロセッサ３００は、巡回冗長を検査する。巡回冗長が正しい場合、プロセッサ３００はステップＳ７２９に移動し、第２の電気通信装置ＵＥへ転送された情報は位置特定されて復号される。
【０２４８】
巡回冗長が正しくない場合、プロセッサ３００はステップＳ７２７に移動し、処理されていないいくつかの正規化結果が残っているか否かを検査する。
【０２４９】
ここで、すべての順序付けられた正規化結果が処理されるか、又は或る値よりも大きな順序付けられた正規化結果のみが処理されるか、又は所定の個数の順序付けられた正規化結果のみが処理されることに留意しなければならない。
【０２５０】
ステップＳ７２７のテストの結果が肯定である場合、プロセッサ３００は、ステップＳ７２８に移動するとともに次の正規化結果を選択し、ステップＳ７２７のテストが否定になるまでステップＳ７２２〜Ｓ７２８によって構成されるループを実行する。
【０２５１】
ステップＳ７２７のテストが否定である場合、プロセッサ３００はステップＳ７３０に移動する。
【０２５２】
ステップＳ７３０において、プロセッサ３００は、ステップＳ７００において受信された制御チャネル要素について図７ｃのアルゴリズムが既に実行されたか否かを検査する。
【０２５３】
ステップＳ７００において受信された制御チャネル要素について図７ｃのアルゴリズムが既に実行された場合、プロセッサ３００は本アルゴリズムを停止する。
【０２５４】
ステップＳ７００において受信された制御チャネル要素について図７ｃのアルゴリズムがまだ実行されていない場合、プロセッサ３００は図７ｃのステップＳ７４０に移動する。
【０２５５】
ここで、各チャネル要素について、そのチャネル要素の位置及び宛先に従ってランダム化機能を選択したことにより、宛先に割り当てられた１つ又は複数のチャネル要素上の処理された受信データの復調されたもののみが、復号に使用される符号構造に従うことに留意しなければならない。
【０２５６】
その特性により、図７ａ及び図７ｂに開示したようなアルゴリズムを実行する代わりに、プロセッサ３００は、図７ａのステップＳ７００及びＳ７０１を実行し、図７ｂのステップＳ７２２において開示した累算ステップとして各サブセットの累算ステップを実行し、各サブセット又は各制御チャネル要素について、次のステップ、すなわち、
−図７ｂのステップＳ７２３において開示した復調ステップとしての復調ステップ、
−復号メトリック計算ステップ、
を実行する。この復号メトリックは、処理された受信データの復調されたもの及びコード構造の妥当性と共に増加するものである。
【０２５７】
例として、ビタビ復号(Viterbi decoding)の場合、復号メトリックは、数回のビタビ復号ステップの後のトレリスの状態(trellis states)の少なくとも一部におけるメトリックの分散(variance)である。
【０２５８】
プロセッサ３００は、復号メトリックの降順によってサブセット及び制御チャネル要素をソートし、最も高い復号メトリックから最も低い復号メトリックに向けてステップＳ７２４〜Ｓ７２９を実行する。
【０２５９】
図７ｃは、本発明の第１の実現モード、第２の実現モード、及び第３の実現モードによる各第２の電気通信装置によって実行されるアルゴリズムを示す。
【０２６０】
より正確に言えば、本アルゴリズムは、各第２の電気通信装置ＵＥのプロセッサ３００によって実行される。
【０２６１】
ステップＳ７４０において、プロセッサ３００は、制御チャネル要素群の第１の制御チャネル要素を選択する。
【０２６２】
次のステップＳ７４１において、プロセッサ３００は、選択された制御チャネル要素上にマッピングされていた、処理された受信データを復調するように無線インタフェース３０６に命令し、ステップＳ７４２において、処理された受信データの復調されたものを復号するように無線インタフェース３０６に命令する。処理された受信データの復調及び復号されたものは、ＣＲＣ及び情報を形成するビットで構成される。
【０２６３】
次のステップＳ７４３において、プロセッサ３００は、巡回冗長を計算する。
【０２６４】
次のステップＳ７４４において、プロセッサ３００は、巡回冗長が正しいか否かを検査する。巡回冗長が正しい場合、プロセッサ３００はステップＳ７４７に移動し、第２の電気通信装置ＵＥへ転送された情報は位置特定されて復号される。
【０２６５】
巡回冗長が正しくない場合、プロセッサ３００はステップＳ７４５に移動し、処理されていない少なくとも１つの制御チャネル要素が存在するか否かを検査する。
【０２６６】
処理されていない少なくとも１つの制御チャネル要素が存在する場合、プロセッサ３００はステップＳ７４６に移動し、制御チャネル要素群の別の制御チャネル要素を選択し、ステップＳ７４１〜Ｓ７４６によって構成されるループを実行する。
【０２６７】
すべての制御チャネル要素が処理されていない場合、プロセッサ３００はステップＳ７４８に移動する。
【０２６８】
ステップＳ７４８において、プロセッサ３００は、図７ｂのアルゴリズムが、ステップＳ７００において受信された制御チャネル要素についてすでに完了しているか否かを検査する。
【０２６９】
ステップＳ７００において受信された制御チャネル要素について図７ｂのアルゴリズムがすでに完了している場合、プロセッサ３００は本アルゴリズムを停止する。
【０２７０】
ステップＳ７００において受信された制御チャネル要素について図７ｂのアルゴリズムがまだ完了していない場合、プロセッサ３００は図７ｂのステップＳ７２０に移動する。例として、正規化結果が処理されていない場合、又は所定の値よりも大きな順序付けられた正規化結果しか処理されていない場合、又は所定の個数の順序付けられた正規化結果しか処理されていない場合、プロセッサ３００は、まだ処理されていない正規化結果の少なくとも一部を処理するためにステップＳ７２０に移動する。
【０２７１】
ここで、各チャネル要素について、そのチャネル要素の位置及び宛先に従ってランダム化機能を選択したことにより、宛先に割り当てられた１つ又は複数のチャネル要素上にマッピングされた、処理された受信データの復調されたもののみが、復号に使用される符号構造に従うことに留意しなければならない。
【０２７２】
図７ｃの一変形では、処理された受信データの復調されたもの及びコード構造の妥当性と共に増加する復号メトリックを定義することができる。
【０２７３】
プロセッサ３００は、各制御チャネル要素について、処理された受信データの復調されたものから復号メトリックを求める。
【０２７４】
例として、ビタビ復号の場合、復号メトリックは、数回のビタビ復号ステップの後のトレリスの状態の少なくとも一部におけるメトリックの分散である。
【０２７５】
プロセッサ３００は、復号メトリックの降順によって制御チャネル要素をソートし、最も高い復号メトリックから最も低い復号メトリックに向けてステップＳ７４２〜Ｓ７４８を実行する。
【０２７６】
図７ｄは、本発明の第３の実現モードによる各第２の電気通信装置によって実行されるアルゴリズムを示す。
【０２７７】
より正確に言えば、本アルゴリズムは、各第２の電気通信装置ＵＥのプロセッサ３００によって実行される。
【０２７８】
ステップＳ７６０において、プロセッサ３００は、Ｍｅｍと記されたレジスタの内容をヌル値に設定する。
【０２７９】
ステップＳ７６１において、制御チャネル要素上にマッピングされたデータの受信が、無線インタフェース３０６によってプロセッサ３００に通知される。
【０２８０】
次のステップＳ７６２において、プロセッサ３００は、各制御チャネル要素について、ランダム化機能を得る。ランダム化機能は、スクランブル解除シーケンス又はインタリーブ解除機能である。各制御チャネル要素について、プロセッサ３００は、図５を参照して開示されたように制御チャネル要素群における制御チャネル要素の位置に対応するランダム化機能をＲＡＭメモリ又はＲＯＭメモリに読み込む。
【０２８１】
一変形では、プロセッサ３００は、図５を参照して開示されたように制御チャネル要素群における制御チャネル要素の位置に対応するランダム化機能をオンザフライで計算する。
【０２８２】
第２の電気通信装置ＵＥが複数の識別子を有するとき、プロセッサ３００は、１つの識別子について、制御チャネル要素群における制御チャネル要素の位置に対応するランダム化機能を選択する。
【０２８３】
同じステップにおいて、プロセッサ３００は、制御チャネル要素群における制御チャネル要素の位置に対応するランダム化機能によって各制御チャネル要素上にマッピングされたデータを処理するように無線インタフェース３０６に命令する。
【０２８４】
次のステップＳ７６３において、プロセッサ３００は、現在に位置における第１のサブセットを選択する。
【０２８５】
この第１のサブセットは、例として、図８の列８００において×印でマーキングされたものである。現在の位置は、図８の制御チャネル要素ＣＣＥ１の位置である。
【０２８６】
次のステップＳ７６４において、プロセッサ３００は、選択されたサブセットを第１の部分及び第２の部分に分割する。第１の部分はα個の制御チャネル要素を含み、第２の部分はβ個の制御チャネル要素を含み、α＋β＝Ｌである。ここで、Ｌは、選択されたサブセットの制御チャネル要素の総数である。
【０２８７】
好ましくは、Ｌが偶数である場合には、各部分はＬ／２個のチャネル要素を含み、Ｌが奇数である場合には、一方の部分は（Ｌ−１）／２個の制御チャネル要素を含み、他方の部分は（Ｌ＋１）／２個の制御チャネル要素を含む。
【０２８８】
次のステップＳ７６５において、プロセッサ３００は、図７ａのステップＳ７０４において開示したように、受信データの処理後に、同じ位置を有するα個のシンボルのＴ回の累算を実行することによって第１の部分のα個のチャネル要素の累算を求める。
【０２８９】
次のステップＳ７６６において、プロセッサ３００は、図７ａのステップＳ７０５において開示したように、受信データの処理後に、同じ位置を有するβ個のシンボルのＴ回の累算を実行することによって第２の部分のβ個のチャネル要素の累算を求める。
【０２９０】
次のステップＳ７６７において、プロセッサ３００は、図７ａのステップＳ７０６において開示したように、第１の部分に対して実行された累算と第２の部分に対して実行された累算との間の相関を実行する。
【０２９１】
一変形では、第１の部分の実行された累算と第２の部分の実行された累算との間の相関を実行する代わりに、プロセッサ３００は、図７ａのステップＳ７０６において開示したように、第１の部分及び第２の部分の累算を実行する。
【０２９２】
次のステップＳ７６８において、図７ａのステップＳ７０７において開示したように、無雑音システムの最良のメトリックが、個数Ｌに関係なく、割り当てられたサブセットを識別することを可能にすることを確実にするために、好ましい実現モードによる累算−相関ステップの結果又は実現の変形による累算ステップの結果が正規化値と乗算される。正規化された結果は、次に、ＲＡＭメモリ３０３に記憶される。
【０２９３】
次のステップＳ７６９において、プロセッサ３００は、正規化された結果がしきい値以上であるか否かを検査する。このしきい値は、平均受信電力から計算され、この比較は、第２の電気通信装置ＵＥに対して、１つの制御チャネル要素だけが割り当てられているのか、又はいくつかの制御チャネル要素が割り当てられているのかを評価するために、実行される。正規化された結果がしきい値以上である場合、プロセッサ３００はステップＳ７７０に移動する。正規化された結果がしきい値未満である場合、プロセッサ３００はステップＳ７７９に移動する。
【０２９４】
ステップＳ７７０において、プロセッサ３００は、レジスタＭｅｍに記憶された値をＲＡＭメモリ３０３のＭｅｍ−１と記されたレジスタに記憶する。
【０２９５】
次のステップＳ７７１において、プロセッサ３００は、メトリックという名称でも呼ばれる正規化結果をレジスタＭｅｍに記憶する。
【０２９６】
次のステップＳ７７２において、プロセッサ３００は、レジスタＭｅｍの内容がレジスタＭｅｍ−１の内容以上であるか否かを検査する。
【０２９７】
レジスタＭｅｍの内容がレジスタＭｅｍ−１の内容以上である場合、プロセッサ３００はステップＳ７７９に移動する。
【０２９８】
レジスタＭｅｍの内容がレジスタＭｅｍ−１の内容未満である場合、プロセッサ３００はステップＳ７７３に移動する。
【０２９９】
ステップＳ７７３において、プロセッサ３００は、レジスタＭｅｍ−１に記憶された、正規化された値が計算された計算元のサブセットを選択する。
【０３００】
次のステップＳ７７４において、プロセッサ３００は、選択された制御チャネル要素上にマッピングされた、処理された受信データを復調するように無線インタフェース３０６に命令し、ステップＳ７７５において、処理された受信データの復調されたものを復号するように無線インタフェース３０６に命令する。処理された受信データの復調及び復号されたものは、情報及びＣＲＣを表すビットで構成される。
【０３０１】
次のステップＳ７７６において、プロセッサ３００は、制御チャネル要素に含まれる情報の巡回冗長検査を計算する。
【０３０２】
次のステップＳ７７７において、プロセッサ３００は、巡回冗長検査が正しいか否かを検査する。巡回冗長検査が正しい場合、プロセッサ３００は、ステップＳ７７８に移動し、第２の電気通信装置ＵＥへ転送された情報は位置特定されて復号される。
【０３０３】
巡回冗長検査が正しくない場合、プロセッサ３００は本アルゴリズムを停止する。
【０３０４】
ステップＳ７７９において、プロセッサ３００は、処理されていない、現在の位置で開始する他のいくつかの可能なサブセットが存在するか否かを検査する。図８の例によれば、列８０５、８０９、８１２、及び８１４に含まれるサブセットは、現在の位置で開始する。現在の位置で開始する他のすべての可能なサブセットが処理された場合、プロセッサ３００はステップＳ７８１に移動する。処理されていないサブセットが残っている場合、プロセッサ３００は、ステップＳ７８０に移動し、Ｌ＋１個の制御チャネル要素を含み且つ現在の位置で開始する別のサブセットを選択し、既述したステップＳ７６４に戻る。
【０３０５】
ステップＳ７８１において、プロセッサ３００は、サブセットが開始するすべての可能な位置が処理されたか否かを検査する。サブセットが開始するすべての可能な位置が処理された場合、プロセッサ３００は、図７ｃのステップＳ７４０に移動する。そうでない場合、プロセッサ３００はステップＳ７８２に移動する。
【０３０６】
図８の例によれば、位置ＣＣＥ２〜ＣＣＥ６は処理されていない。
【０３０７】
ステップＳ７８２において、プロセッサ３００は次の位置、すなわち図８の列８０１にマーキングされた位置ＣＣＥ２を選択し、既述したステップＳ７６３に戻る。
【０３０８】
ここで、第２の電気通信装置ＵＥが複数の識別子を有するとき、プロセッサ３００は、各識別子について本アルゴリズムを実行することに留意しなければならない。
【０３０９】
本発明は、これらのプロセスが制御チャネル要素に対して実行される一例で説明されてきた。
【０３１０】
本発明は、古典的なチャネル要素にも適用可能である。このようなケースは、例として、制御チャネル要素が電気通信ネットワークにおいて定義されていないときに起こる。このようケースでは、第１の電気通信装置及び第２の電気通信装置は、データが含まれるチャネル要素に対して本発明を適用する。
【０３１１】
当然のことながら、本発明の範囲から逸脱することなく、上述した本発明の実施形態に対して多くの変更を行うことができる。
【図１】
2010525700.tif 000006
【図２】
2010525700.tif 000007
【図３】
2010525700.tif 000008
【図４】
2010525700.tif 000009
【図５】
2010525700.tif 000010
【図６】
2010525700.tif 000011
【図７ａ】
2010525700.tif 000012
【図７ｂ】
2010525700.tif 000013
【図７ｃ】
2010525700.tif 000014
【図７ｄ】
2010525700.tif 000015
【図８】
2010525700.tif 000016
【図９】
2010525700.tif 000017
【図１０】
2010525700.tif 000018
【国際調査報告】
2010525700.tif 000019
2010525700.tif 000020